(57)【特許請求の範囲】
【請求項１】
アラートを発生させる方法において、
ブロードキャスト無線送信を通信デバイスで受け取ることと、
補助コンテンツの受け取りを検出することと、
前記補助コンテンツの検出に応答して、アラーティングデバイスをアクティブ化して、非視覚通知を出力させるように動作可能なアラート信号を、前記通信デバイスにより、発生させることとを含み、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含む方法。
【請求項２】
前記アラート信号を受け取ることに応答して、前記アラーティングデバイスにおいて前記非視覚通知を出力することをさらに含む請求項１記載の方法。
【請求項３】
受け取った主コンテンツを表現する第１の可聴サウンドを出力することをさらに含み、
前記非視覚通知を出力することは、第２の可聴サウンドを前記第１の可聴サウンドの出力に導入することをさらに含み、
前記第２の可聴サウンドは、前記第１の可聴サウンドと区別可能である請求項２記載の方法。
【請求項４】
前記補助コンテンツの前記非オーディオデータを第２のオーディオデータに変換することと、
前記第１のオーディオデータにしたがって、受け取った主コンテンツを表現する第１の可聴サウンドを出力することとをさらに含み、
前記非視覚通知を出力することは、第２の可聴サウンドを前記第１の可聴サウンドの出力に導入することをさらに含み、
前記第２の可聴サウンドは、前記第２のオーディオデータにしたがって、前記補助コンテンツを表現する請求項２記載の方法。
【請求項５】
前記補助コンテンツの前記非オーディオデータを第２のオーディオデータに変換することは、テキストをスピーチに変換することをさらに含む請求項４記載の方法。
【請求項６】
受け取った主コンテンツを表現する第１の可聴サウンドを出力することをさらに含み、
前記非視覚通知を出力することは、触覚型フィードバックメカニズムをアクティブ化することさらに含む請求項２記載の方法。
【請求項７】
前記アラート信号を前記アラーティングデバイスに送信することをさらに含む請求項１記載の方法。
【請求項８】
前記アラート信号を前記アラーティングデバイスに送信することは、別の通信デバイスにワイヤレスに送信することをさらに含む請求項７記載の方法。
【請求項９】
前記補助コンテンツの少なくとも一部を、１つ以上のユーザ定義基準の少なくとも一部と比較して、一致が存在するか否かを決定することをさらに含み、
前記比較することは、モード設定がアイドルモードを構成する場合のみ比較することをさらに含み、
前記アラート信号を発生させることは、前記一致の存在を識別する前記比較に応答する請求項１記載の方法。
【請求項１０】
前記補助コンテンツの少なくとも一部を、１つ以上のユーザ定義基準の少なくとも一部と比較することは、前記補助コンテンツを構成するテキストの少なくとも一部を、ユーザ定義テキストの少なくとも一部と比較することをさらに含む請求項９記載の方法。
【請求項１１】
前記ブロードキャスト無線送信を受け取ることは、第１の周波数上で前記主コンテンツを受け取ることと、
前記第１の周波数とは異なる第２の周波数上で前記補助コンテンツを受け取ることとをさらに含む請求項１記載の方法。
【請求項１２】
前記ブロードキャスト無線送信を受け取ることは、第１の搬送波周波数を有する第１の振幅変調無線波上で伝えられる無線プログラム信号を受け取ることと、
前記第１の搬送波周波数とは異なる第２の搬送波周波数を有する第２の振幅変調無線波上で伝えられる無線データシステム情報を受け取ることとをさらに含み、
前記第２の搬送波周波数は、可聴周波数範囲外である請求項１記載の方法。
【請求項１３】
前記アラーティングデバイスは、前記通信デバイスのユーザインターフェース内に位置付けられており、前記アラート信号を前記アラーティングデバイスに送信することは、前記ユーザインターフェースが非視覚通知を出力するのを促すように、前記通信デバイスの前記ユーザインターフェースに前記アラート信号を送信することをさらに含む請求項７記載の方法。
【請求項１４】
アラートを発生させる方法において、
ブロードキャスト無線送信を通信デバイスで受け取ることと、
補助コンテンツの受け取りを検出することと、
アラーティングデバイスをアクティブ化して、非視覚通知を出力させるように動作可能なアラート信号を発生させることと、
前記受け取りの前に、何らかの受け取った主コンテンツと何らかの受け取った補助コンテンツとの、前記通信デバイス上での出力を非アクティブ化するように動作可能なアイドルモードをアクティブ化することと、
前記アイドルモードに基づいて、前記受け取った補助コンテンツの少なくとも一部を、１つ以上のユーザ定義基準の少なくとも一部と比較して、一致が存在するか否かを決定することとを含み、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含み、
前記アラート信号を発生させることは、前記一致の存在を識別する前記比較に応答する方法。
【請求項１５】
前記受け取った補助コンテンツの少なくとも一部を、１つ以上のユーザ定義基準の少なくとも一部と比較することは、前記補助コンテンツを構成するテキストの少なくとも一部を、ユーザ定義テキストの少なくとも一部と比較することをさらに含む請求項１４記載の方法。
【請求項１６】
前記アイドルモードをアクティブ化することに応答して、無線局のユーザ定義周波数に同調させることをさらに含む請求項１４記載の方法。
【請求項１７】
前記補助コンテンツの表現の表示をディセーブルすることと、
前記主コンテンツを表現する可聴サウンドの出力をディセーブルすることとをさらに含み、
双方とも、前記アイドルモードをアクティブ化することに応答する請求項１４記載の方法。
【請求項１８】
前記アラート信号を発生させることは、前記補助コンテンツに関連するメッセージを前記アラート信号に追加することをさらに含む請求項１４記載の方法。
【請求項１９】
前記アラート信号を発生させることは、前記補助コンテンツの一部を前記アラート信号に追加することをさらに含む請求項１４記載の方法。
【請求項２０】
前記アラート信号を発生させた後に、モード変更を識別するユーザ入力を受け取ることと、
前記ユーザ入力に応答して、前記アイドルモードから対話式モードに変更することと、
前記受け取った主コンテンツと前記受け取った補助コンテンツとを、前記通信デバイス上で出力することとをさらに含む請求項１４記載の方法。
【請求項２１】
アラートを発生させるためのコンピュータ読み取り可能記憶媒体において、
ブロードキャスト無線送信を通信デバイスで受け取らせるようにコンピュータを動作可能な少なくとも１つの命令と、
補助コンテンツの受け取りを検出させるように前記コンピュータを動作可能な少なくとも１つの命令と、
前記補助コンテンツの検出に応答して、アラーティングデバイスをアクティブ化して、非視覚通知を出力させるように動作可能なアラート信号を、前記通信デバイスにおいて、発生させるように前記コンピュータを動作可能な少なくとも１つの命令とを含み、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含むコンピュータ読み取り可能記憶媒体。
【請求項２２】
前記コンピュータ読み取り可能記憶媒体は、
前記受け取りの前に、何らかの受け取った主コンテンツと何らかの受け取った補助コンテンツとの、前記通信デバイス上での出力をブロックするように動作可能なアイドルモードをアクティブ化させるように前記コンピュータを動作可能な少なくとも１つの命令と、
前記受け取った補助コンテンツの少なくとも一部を、１つ以上のユーザ定義基準の少なくとも一部と比較させて、一致が存在するか否かを決定させるように前記コンピュータを動作可能な少なくとも１つの命令とをさらに含み、
前記アラート信号を発生させるように前記コンピュータを動作可能な前記少なくとも１つの命令は、前記一致の存在を識別する比較をさせるように前記コンピュータを動作可能な前記少なくとも１つの命令に応答する請求項２１記載のコンピュータ読み取り可能記憶媒体。
【請求項２３】
アラートを発生させるための少なくとも１つのプロセッサにおいて、
ブロードキャスト無線送信を通信デバイスで受け取る第１のモジュールと、
補助コンテンツの受け取りを検出する第２のモジュールと、
前記補助コンテンツの検出に応答して、アラーティングデバイスをアクティブ化して、非視覚通知を出力させるように動作可能なアラート信号を、前記通信デバイスにより、発生させる第３のモジュールとを具備し、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含む少なくとも１つのプロセッサ。
【請求項２４】
前記受け取りの前に、何らかの受け取った主コンテンツと何らかの受け取った補助コンテンツとの、前記通信デバイス上での出力をブロックするように動作可能なアイドルモードをアクティブ化する第４のモジュールと、
前記受け取った補助コンテンツの少なくとも一部を、１つ以上のユーザ定義基準の少なくとも一部と比較して、一致が存在するか否かを決定する第５のモジュールとをさらに具備し、
前記アラート信号を発生させる第３のモジュールは、前記一致の存在を識別する、前記比較する第５のモジュールに応答する請求項２３記載の少なくとも１つのプロセッサ。
【請求項２５】
アラートを発生させる通信デバイスにおいて、
ブロードキャスト無線送信を受け取る手段と、
補助コンテンツの受け取りを検出する手段と、
前記補助コンテンツの検出に応答して、アラーティングデバイスをアクティブ化して、非視覚通知を出力させるように動作可能なアラート信号を、前記通信デバイスにより、発生させる手段とを具備し、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含む通信デバイス。
【請求項２６】
前記受け取りの前に、何らかの受け取った主コンテンツと何らかの受け取った補助コンテンツとの、前記通信デバイス上での出力をブロックするように動作可能なアイドルモードをアクティブ化する手段と、
前記受け取った補助コンテンツの少なくとも一部を、１つ以上のユーザ定義基準の少なくとも一部と比較して、一致が存在するか否かを決定する手段とをさらに具備し、
前記アラート信号を発生させる手段は、前記一致の存在を識別する、前記比較する手段に応答する請求項２５記載の通信デバイス。
【請求項２７】
アラートを発生させる通信デバイスにおいて、
ブロードキャスト無線送信を受け取るように動作可能な受信機と、
補助コンテンツの受け取りを検出するように動作可能な検出器アルゴリズムを備えている検出器と、
前記補助コンテンツの検出に応答して、アラーティングデバイスをアクティブ化して、非視覚通知を出力させるように動作可能なアラート信号を発生させるように動作可能なアラートシグナリングアルゴリズムを備えている発生器とを具備し、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含む通信デバイス。
【請求項２８】
前記アラーティングデバイスを備え、前記アラート信号を受け取ることに応答して、前記非視覚通知を出力させるように動作可能な発生アルゴリズムを備えている少なくとも１つの出力デバイスをさらに具備する請求項２７記載の通信デバイス。
【請求項２９】
前記少なくとも１つの出力デバイスは、受け取った主コンテンツを表現する第１の可聴サウンドを出力させるようにさらに動作可能であり、
前記少なくとも１つの出力デバイスは、第２の可聴サウンドを前記第１の可聴サウンドの出力に導入するようにさらに動作可能であり、
前記第２の可聴サウンドは、前記第１の可聴サウンドと区別可能である請求項２８記載の通信デバイス。
【請求項３０】
前記補助コンテンツの前記非オーディオデータを第２のオーディオデータに変換するように動作可能な変換器モジュールをさらに具備し、
前記少なくとも１つの出力デバイスは、前記第１のオーディオデータにしたがって、前記受け取った主コンテンツを表現する第１の可聴サウンドを出力するようにさらに動作可能であり、
前記少なくとも１つの出力デバイスは、第２の可聴サウンドを前記第１の可聴サウンドの出力に導入するようにさらに動作可能であり、
前記第２の可聴サウンドは、前記第２のオーディオデータにしたがって、前記補助コンテンツを表現する請求項２８記載の通信デバイス。
【請求項３１】
前記変換器モジュールは、テキストをスピーチに変換するようにさらに動作可能である請求項３０記載の通信デバイス。
【請求項３２】
前記少なくとも１つの出力デバイスは、受け取った主コンテンツを表現する第１の可聴サウンドを出力させるようにさらに動作可能であり、
前記非視覚通知は、触覚型フィードバックをさらに含む請求項２８記載の通信デバイス。
【請求項３３】
前記アラート信号を前記アラーティングデバイスに送信するように動作可能な送信機をさらに具備する請求項２７記載の通信デバイス。
【請求項３４】
前記アラーティングデバイスは、ワイヤレス通信ネットワーク全体にわたって位置付けられる請求項３３記載の通信デバイス。
【請求項３５】
前記補助コンテンツの少なくとも一部を、１つ以上のユーザ定義基準の少なくとも一部と比較して、一致が存在するか否かを決定するように動作可能な比較器モジュールと、
アイドルモードまたは対話式モードを構成するモード設定とをさらに具備し、
前記比較器は、前記モード設定が前記アイドルモードを構成する場合のみ比較するように動作可能であり、
前記アラート信号は、前記一致の存在を識別する前記比較器に応答して発生される請求項２７記載の通信デバイス。
【請求項３６】
前記比較器は、前記補助コンテンツを構成するテキストの少なくとも一部を、ユーザ定義テキストの少なくとも一部と比較するようにさらに動作可能である請求項３５記載の通信デバイス。
【請求項３７】
前記ブロードキャスト無線送信は、第１の周波数上の前記主コンテンツと、前記第１の周波数とは異なる第２の周波数上の前記補助コンテンツとをさらに含む請求項２７記載の通信デバイス。
【請求項３８】
前記ブロードキャスト無線送信は、
第１の搬送波周波数を有する第１の振幅変調無線波上で伝えられる無線プログラム信号と、
前記第１の搬送波周波数とは異なる第２の搬送波周波数を有する第２の振幅変調無線波上で伝えられる無線データシステム情報とをさらに含み、
前記第２の搬送波周波数は、可聴周波数範囲外である請求項２７記載の通信デバイス。
【請求項３９】
前記アラーティングデバイスは、前記通信デバイスのユーザインターフェース内に位置付けられており、前記送信機は、前記ユーザインターフェースが非視覚通知を出力するのを促すように、前記通信デバイスのユーザインターフェースに前記アラート信号を送信するようにさらに動作可能である請求項３３記載の通信デバイス。
【請求項４０】
アラートを発生させる通信デバイスにおいて、
ブロードキャスト無線送信を受け取るように動作可能な受信機と、
補助コンテンツの受け取りを検出するように動作可能な検出器アルゴリズムを備えている検出器と、
アラーティングデバイスをアクティブ化して、非視覚通知を出力させるように動作可能なアラート信号を発生させるように動作可能なアラートシグナリングアルゴリズムを備えている発生器と、
何らかの受け取った主コンテンツと何らかの受け取った補助コンテンツとの、前記通信デバイス上での出力を非アクティブ化するように動作可能なアイドルモードを構成するモード設定と、
前記アイドルモードに基づいて、前記受け取った補助コンテンツの少なくとも一部を、１つ以上のユーザ定義基準の少なくとも一部と比較して、一致が存在するか否かを決定するように動作可能な比較器とを具備し、
前記ブロードキャスト無線送信は、主コンテンツと、前記主コンテンツに関係がある前記補助コンテンツとを含み、
前記関係は、前記ブロードキャスト無線送信の送信前に規定されており、
前記主コンテンツは、第１のオーディオデータを含み、
前記補助コンテンツは、非オーディオデータを含み、
前記発生器は、前記一致の存在を識別する前記比較器に応答して、前記アラート信号を発生させる通信デバイス。
【請求項４１】
前記比較器は、前記補助コンテンツを構成するテキストの少なくとも一部を、ユーザ定義テキストの少なくとも一部と比較するようにさらに動作可能である請求項４０記載の通信デバイス。
【請求項４２】
前記アイドルモードに応答して、無線局のユーザ定義周波数に同調させるように動作可能な無線プレーヤモジュールをさらに具備する請求項４０記載の通信デバイス。
【請求項４３】
前記アイドルモードに基づいて、前記補助コンテンツの表現の表示をディセーブルし、前記主コンテンツを表現する可聴サウンドの出力をディセーブルするように動作可能な無線プレーヤモジュールをさらに具備する請求項４０記載の通信デバイス。
【請求項４４】
前記発生器は、前記補助コンテンツに関連するメッセージを前記アラート信号に追加するようにさらに動作可能である請求項４０記載の通信デバイス。
【請求項４５】
前記発生器は、前記補助コンテンツの一部を前記アラート信号に追加するようにさらに動作可能である請求項４０記載の通信デバイス。
【請求項４６】
前記アラート信号を発生させた後に、モード変更を識別するユーザ入力を受け取るように動作可能なユーザインターフェースと、
前記ユーザ入力に応答して、前記アイドルモードから対話式モードに変更するように動作可能な無線プレーヤモジュールと、
前記受け取った主コンテンツと前記受け取った補助コンテンツとを、前記通信デバイス上で出力させるように動作可能な前記アラーティングデバイスを備える少なくとも１つの出力デバイスとをさらに具備する請求項４０記載の通信デバイス。
【発明の詳細な説明】
【米国特許法第１１９条の優先権主張】
【０００１】
本特許出願は、“ＡＭ／ＦＭ無線データシステム（ＲＤＳ）に基づいた技術を提供する装置および方法”と題する２００７年６月１８日に出願され、本発明の譲受人に譲渡され、参照によりここに明確に組み込まれている仮出願第６０／９４４，７１９号に対して優先権を主張する。
【背景】
【０００２】
〔分野〕
記述した観点は、一般的に、受信機におけるブロードキャスト無線の使用に関する。さらに詳細に述べると、記述した観点は、無線ブロードキャストから受け取った情報のアラートに関する。
【０００３】
〔背景〕
ＦＭ無線局のようなブロードキャスト無線局は、無線データシステム（ＲＤＳ）または無線ブロードキャストデータシステム（ＲＢＤＳ）として知られているシステムを使用して、例えば、音楽、トーク、ニュース等の通常の無線番組に対応している補助情報を送信する。ここでは、無線データシステム（ＲＤＳ）または無線ブロードキャストデータシステム（ＲＢＤＳ）の双方とも、「ＲＤＳ」と呼ぶ。例えば、特定の無線局の識別子や、番組のタイプや、アーティスト名および／または曲名といったテキスト情報のような、ブロードキャスト無線局によって送信されるいくつかのタイプの補助情報に対する標準的なプロトコルをＲＤＳは提供する。
【０００４】
例えば、ブロードキャスト無線局は、単一搬送波に多重化される別個の信号として、ブロードキャスト無線局の番組と補助情報とをＲＤＳフォーマットで送信する。いくつかのワイヤレス通信デバイスに備え付けられているような、または、乗り物において備え付けられているような、ＲＤＳデコーダを有する無線受信機によって、ユーザは、送信されている番組を聴いたり、対応する補助情報をディスプレイ上で見ることができる。
【０００５】
ＲＤＳを含む無線番組上で構築される、または、ＲＤＳを含む無線番組とともに機能する、いくつかの新しい仕様およびサービスが開発されている。例えば、いくつかの仕様は、無線テキスト情報の表示のような、補助情報の一部を制御できる付加的なメッセージを提供する。別の例では、データ接続を用いてコンテンツを受信機に提供するいくつかのサービスが開発されており、この場合、コンテンツがＲＤＳデータによって無線番組と同期化される。
【０００６】
いずれのケースでも、向上したユーザ経験がＲＤＳ情報によって潜在的に提供されているにもかかわらず、ＲＤＳ情報をユーザが知覚できるようになるには、現在のＲＤＳイネーブル通信デバイスでは限界がある。
【概要】
【０００７】
以下では、この観点の基本的な理解を提供するために、１つ以上の観点の簡略化した概要を示している。この概要は、すべて検討した観点の多彩な概略ではなく、すべての観点の重要なまたは不可欠なエレメントを識別することにも、何らかの観点またはすべての観点の範囲を詳細に述べることにも向けられていない。この唯一の目的は、後に示す詳細な説明の前置きとして、１つ以上の観点のうちのいくつかの概念を簡単な形態で示すことである。
【０００８】
一般的に、記述したデバイスおよび方法は、ＲＤＳタイプの補助コテンツがブロードキャスト無線信号を通して通信デバイスによって受け取られたときに、ユーザに通知することを可能にし、そしてオプション的に、ユーザ定義基準にしたがって、受け取りおよび通知機能を制御することを可能にする。
【０００９】
１つの観点では、アラートを発生させる方法は、ブロードキャスト無線送信を通信デバイスで受け取ることを含み、ブロードキャスト無線送信は、主コンテンツと、主コンテンツに関係がある補助コンテンツとを含む。また、主コンテンツは、第１のオーディオデータを含み、補助コンテンツは、非オーディオデータを含む。さらに、方法は、補助コンテンツの受け取りを検出することを含む。さらに、方法は、アラーティングデバイスをアクティブ化して、非視覚通知を出力させるように動作可能なアラート信号を発生させることとを含む。
【００１０】
いくつかのオプション的な観点では、方法は、補助コンテンツの少なくとも一部を、１つ以上のユーザ定義基準の少なくとも一部と比較して、一致が存在するか否かを決定することをさらに含み、アラート信号を発生させることは、一致の存在を識別する比較に応答する。
【００１１】
さらに他のオプション的な観点では、方法は、受け取りの前に、何らかの受け取った主コンテンツと何らかの受け取った補助コンテンツとの、通信デバイス上への出力を非アクティブ化するように動作可能なアイドルモードをアクティブ化することと、アイドルモードに基づいて、受け取った補助コンテンツの少なくとも一部を、１つ以上のユーザ定義基準の少なくとも一部と比較して、一致が存在するか否かを決定することとをさらに含み、アラート信号を発生させることは、一致の存在を識別する比較に応答する。
【００１２】
別の観点では、アラートを発生させるためのコンピュータプログラムプロダクトは、コンピュータに対する命令を含むコンピュータ読み取り可能媒体を含む。命令は、ブロードキャスト無線送信を通信デバイスで受け取らせるようにコンピュータを動作可能な少なくとも１つの命令を含み、ブロードキャスト無線送信は、主コンテンツと、主コンテンツに関係がある補助コンテンツとを含む。また、この観点では、主コンテンツは第１のオーディオデータを含み、補助コンテンツは非オーディオデータを含む。さらに、命令は、補助コンテンツの受け取りを検出させるようにコンピュータを動作可能な少なくとも１つの命令を含む。さらに、命令は、アラーティングデバイスをアクティブ化して、非視覚通知を出力するように動作可能なアラート信号を発生させるようにコンピュータを動作可能な少なくとも１つの命令を含む。
【００１３】
コンピュータプログラムプロダクトのいくつかのオプション的な観点では、コンピュータ読み取り可能媒体は、受け取りの前に、何らかの受け取った主コンテンツと何らかの受け取った補助コンテンツとの、通信デバイス上での出力をブロックするように動作可能なアイドルモードをアクティブ化させるようにコンピュータを動作可能な少なくとも１つの命令をさらに含む。さらに、この観点では、コンピュータ読み取り可能媒体は、受け取った補助コンテンツの少なくとも一部を、１つ以上のユーザ定義基準の少なくとも一部と比較して、一致が存在するか否かを決定させるようにコンピュータを動作可能な少なくとも１つの命令とをさらに含み、アラート信号を発生させるようにコンピュータを動作可能な少なくとも１つの命令は、一致の存在を識別する比較をさせるようにコンピュータを動作可能な少なくとも１つの命令に応答する。
【００１４】
さらに別の観点では、アラートを発生させるための少なくとも１つのプロセッサは、ブロードキャスト無線送信を通信デバイスで受け取る第１のモジュールを具備する。ブロードキャスト無線送信は、主コンテンツと、主コンテンツに関係がある補助コンテンツとを含み、主コンテンツは、第１のオーディオデータを含み、補助コンテンツは、非オーディオデータを含む。さらに、少なくとも１つのプロセッサは、補助コンテンツの受け取りを検出する第２のモジュールを具備する。さらに、少なくとも１つのプロセッサは、アラーティングデバイスをアクティブ化して、非視覚通知を出力させるように動作可能なアラート信号を発生させる第３のモジュールを具備する。
【００１５】
いくつかのオプション的な観点では、少なくとも１つのプロセッサは、受け取りの前に、何らかの受け取った主コンテンツと何らかの受け取った補助コンテンツとの、通信デバイス上での出力をブロックするように動作可能なアイドルモードをアクティブ化する第４のモジュールをさらに具備する。さらに、少なくとも１つのプロセッサは、受け取った補助コンテンツの少なくとも一部を、１つ以上のユーザ定義基準の少なくとも一部と比較して、一致が存在するか否かを決定する第５のモジュールとをさらに具備し、アラート信号を発生させる第３のモジュールは、一致の存在を識別する、比較する第５のモジュールに応答する。
【００１６】
さらなる観点では、アラートを発生させる通信デバイスは、ブロードキャスト無線送信を受け取る手段を具備し、ブロードキャスト無線送信は、主コンテンツと、主コンテンツに関係がある補助コンテンツとを含み、主コンテンツは第１のオーディオデータを含み、補助コンテンツは非オーディオデータを含む。さらに、通信デバイスは、補助コンテンツの受け取りを検出する手段を具備する。さらに、通信デバイスは、アラーティングデバイスをアクティブ化して、非視覚通知を出力させるように動作可能なアラート信号を発生させる手段を具備する。
【００１７】
オプション的な観点では、通信デバイスは、受け取りの前に、何らかの受け取った主コンテンツと何らかの受け取った補助コンテンツとの、通信デバイス上での出力をブロックするように動作可能なアイドルモードをアクティブ化する手段をさらに具備する。さらに、通信デバイスは、受け取った補助コンテンツの少なくとも一部を、１つ以上のユーザ定義基準の少なくとも一部と比較して、一致が存在するか否かを決定する手段を具備し、アラート信号を発生させる手段は、一致の存在を識別する、比較する手段に応答する。
【００１８】
さらなる観点では、アラートを発生させる通信デバイスは、ブロードキャスト無線送信を受け取るように動作可能な受信機を具備し、ブロードキャスト無線送信は、主コンテンツと、主コンテンツに関係がある補助コンテンツとを含み、主コンテンツは第１のオーディオデータを含み、補助コンテンツは非オーディオデータを含む。さらに、通信デバイスは、補助コンテンツの受け取りを検出するように動作可能な検出器を具備する。さらに、通信デバイスは、アラーティングデバイスをアクティブ化して、非視覚通知を出力するようにアクティブ化させるように動作可能なアラート信号を発生させるように動作可能な発生器を具備する。
【００１９】
先述の関連した目的の達成のために、詳細な説明および添付した図面とともに、１つ以上の観点は、以下で完全に記述した特徴および特許請求の範囲において部分的に指摘した特徴を含む。以下の詳細な説明および図面では、１つ以上の観点のいくつかの例示的な特徴を詳細に述べた。しかしながら、これらの特徴は、ほんの数例のさまざまな方法を示しているにすぎず、ここでは、さまざまな観点の原理が使用され、この記述はこのようなすべての観点および均等物を含むことを意図している。
【図面の簡単な説明】
【００２０】
【図１】図１は、通信デバイスの関連したコンポーネントを備えている、受け取った補助コンテンツのアラートを提供するシステムの１つの観点の概略図である。
【図２】図２は、図１の通信デバイスの観点の概略図である。
【図３】図３は、図１のシステムの無線局の観点の概略図である。
【図４】図４は、図１および図２の通信デバイスの観点の概略図である。
【図５】図５は、無線番組を拡張させる方法の１つの観点のフローチャートである。
【詳細な説明】
【００２１】
これから、図面に関連してさまざまな観点を記述する。以下の記述では、説明の目的のために、１つ以上の観点の全体的な理解を提供するために、多数の特定の詳細な説明を述べた。しかしながら、これらの特定の詳細な説明がなくても、このような観点を実施できることは明らかである。
【００２２】
本出願において使用されているような、「コンポーネント」、「モジュール」、「システム」という文言や、これらに類似するものは、ハードウェア、ファームウェア、ハードウェアとソフトウェアとを組み合わせたもの、ソフトウェア、または実行中のソフトウェアのような、コンピュータ関連エンティティを備えていることを意図しているが、これらに限定されない。例えば、コンポーネントは、プロセッサ上で実行しているプロセスや、プロセッサや、オブジェクトや、実行可能ファイルや、実行のスレッドや、プログラムや、および／またはコンピュータであってもよいが、これらに限定されない。実例によって、コンピューティングデバイス上で実行しているアプリケーションおよびコンピューティングデバイスの双方がコンポーネントであってもよい。１つ以上のコンポーネントは、実行のプロセスおよび／またはスレッド内に存在していてもよく、コンポーネントは、１つのコンピュータ上でローカライズおよび／または２つ以上のコンピュータ間に分散されてもよい。さらに、これらのコンポーネントは、記憶されたさまざまなデータ構造を有するさまざまなコンピュータ読み取り可能媒体から実行することができる。コンポーネントは、ローカルシステム中の、分散システム中の別のコンポーネントと対話する１つのコンポーネントからのデータ、および／または、インターネットのようなネットワークを通して信号により他のシステムと対話する１つのコンポーネントからのデータのような、１つ以上のデータパケットを有する信号にしたがうような、ローカルおよび／またはリモートプロセスによって通信してもよい。
【００２３】
さらに、端末に関連してさまざまな観点をここで記述する。端末は、ワイヤード端末またはワイヤレス端末であってもよい。端末は、システム、デバイス、加入者ユニット、加入者局、移動局、移動体、移動体デバイス、遠隔局、遠隔端末、アクセス端末、ユーザ端末、端末通信デバイス、ユーザエージェント、ユーザデバイス、またはユーザ機器（ＵＥ）とも呼ばれてもよい。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、またはワイヤレスモデムに接続されている他の処理デバイスであってもよい。さらに、基地局に関連してさまざまな観点をここで記述する。基地局は、ワイヤレス端末と通信するために利用されてもよく、また、アクセスポイント、ノードＢ、または他のいくつかの専門用語で呼ばれてもよい。
【００２４】
さらに、「または」という文言は、排他的な「または」というよりむしろ、包含的な「または」を意味することを意図している。すなわち、特定の明記がない限り、または、文脈から明らかでない限り、「ＸがＡまたはＢを使用する」というフレーズは、自然な包含的順列のうちのいずれかを意味することを意図している。すなわち、「ＸがＡまたはＢを使用する」というフレーズは、下記の例：ＸがＡを使用する；ＸがＢを使用する；または、ＸがＡおよびＢの双方を使用する、のうちのいずれのものによって適合される。さらに、本願明細書および添付した特許請求の範囲で用いている冠詞「ａ」および「ａｎ」は、特定の明記がない限り、または、単数形を意図する文脈から明らかでない限り、一般的に、「１つ以上」を意味すると解釈すべきである。
【００２５】
ＣＤＭＡ、ＴＤＭＡ、ＦＤＭＡ、ＯＦＤＭＡ、ＳＣ−ＦＤＭＡ、および他のシステムのようなさまざまなワイヤレス通信システムに対して、ここで記述した技術が使用されてもよい。「システム」および「ネットワーク」という文言は、互換性があるように使用されることが多い。ＣＤＭＡシステムは、ユニバーサル地上無線アクセス（ＵＴＲＡ）、ｃｄｍａ２０００等のような無線技術を実現してもよい。ＵＴＲＡは、広帯域ＣＤＭＡ（Ｗ−ＣＤＭＡ）およびＣＤＭＡの他の変形を含んでいる。さらに、ｃｄｍａ２０００は、ＩＳ−２０００、ＩＳ−９５、およびＩＳ−８５６標準規格をカバーしている。ＴＤＭＡシステムは、グローバルシステムフォーモバイル通信（ＧＳＭ）のような無線技術を実現してもよい。ＯＦＤＭＡシステムは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ）や、ＩＥＥＥ８０２．１６(ＷｉＭＡＸ)や、ＩＥＥＥ８０２．２０や、フラッシュ−ＯＦＤＭ等のような無線技術を実現してもよい。ＵＴＲＡおよびＥ−ＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースであり、このＵＭＴＳのリリースは、ダウンリンク上ではＯＦＤＭＡを使用し、アップリンク上ではＳＣ−ＦＤＭＡを使用する。ＵＴＲＡ、Ｅ−ＵＴＲＡ、ＵＭＴＳ、ＬＴＥ、およびＧＳＭは、「第３世代パートナーシッププロジェクト」（３ＧＰＰ）と名付けられている機関による文書に記述されている。さらに、ｃｄｍａ２０００およびＵＭＢは、「第３世代パートナーシッププロジェクト２」（３ＧＰＰ２）と名付けられている機関による文書に記述されている。さらに、このようなワイヤレス通信システムは、対でない無認可のスペクトルや、８０２．ｘｘワイヤレスＬＡＮや、ブルートゥース（登録商標）や、他の何らかの短距離または長距離のワイヤレス通信技術を使用していることが多いピアツーピア（例えば、移動体間）のアドホックネットワークシステムを付加的に含んでいてもよい。
【００２６】
多数のデバイス、コンポーネント、モジュール、およびこれに類するものを備えていてもよいシステムの観点から、さまざまな観点または機能を示すことにする。さまざまなシステムが付加的なデバイス、コンポーネント、モジュール等を備えていてもよく、および／または、図面に関連して説明したデバイス、コンポーネント、モジュール等のすべてを備えていなくてもよいことを理解および正しく認識すべきである。これらのアプローチを組み合わせたものも使用されてもよい。
【００２７】
図１を参照すると、１つの観点では、アラートを提供するためのシステム１０は、通信デバイス１２のユーザの消費のために、ブロードキャスト無線送信１４をブロードキャスト無線ネットワーク１６から受け取り、送信１４によって伝えられるデータを出力するように動作可能な通信デバイス１２を備えている。特に、通信デバイス１２は、ブロードキャスト無線送信１４において受け取ったデータに基づいてアラート信号を発生させるように構成されている。アラート信号は、アラートまたは通知を通信デバイス上で発生させても、および／または、通信が、アラートまたは通知を発生させるように動作可能なアラート信号を、遠隔的に位置付けられているデバイスのような１つ以上の他の通信デバイスに送信してもよい。
【００２８】
ブロードキャスト無線ネットワーク１６は、地上基地局１８および／または衛星基地局２０のような、無線番組の１つ以上の送信機を備えていてもよい。さらに、ブロードキャスト無線送信１４は主コンテンツ２２と補助コンテンツ２４とを伝える１つ以上の搬送波を含み、補助コンテンツ２４はそれぞれの主コンテンツ２２と関係がある。例えば、主コンテンツ２２は、音楽、トークショー、ニュース、および／または他の何らかのオーディオデータの形態の無線番組を含んでいてもよい。一方、補助コンテンツ２４は、テキスト、グラフィック、画像、ビデオ等のような非オーディオデータを含んでいてもよい。さらに、補助コンテンツ２４は、主コンテンツ２２と下記の関係：例えば、互いに相対的なある時間において、通信デバイス上での各データの出力を保証するための、出力時間関係；例えば、補助コンテンツ２４が、主コンテンツ２２を記述するデータおよび／または主コンテンツ２２に関連または関係する情報であってもよい、記述的関係；ならびに、例えば、補助コンテンツ２４が、主コンテンツ２２に関連する広告、および／または、通信デバイス１２のユーザをターゲットとした広告、および／または一般広告を含んでいてもよい広告関係、のうちの１つ、または、これらのものを任意に組み合わせたものを持っていてもよい。
【００２９】
１つの使用ケースでは、例えば、ブロードキャスト無線送信１４は、無線データシステム（ＲＤＳ）標準規格または無線ブロードキャストデータシステム（ＲＢＤＳ）標準規格にしたがった無線ブロードキャストを含んでいてもよいが、双方とも、以下では、ＲＤＳと呼ぶ。ＲＤＳ標準規格に基づいて、送信１４は、ここでは主コンテンツ２２と呼ぶオーディオ無線番組と、ここでは補助情報２４と呼ぶ追加デジタル情報とを含み、追加デジタル情報には、名前、呼出文字、または、無線局の周波数、アーティスト名およびトラック名等のようなものがある。上述したように、追加デジタル情報または補助コンテンツ２４は、さまざまなフォーマットであってもよいが、一般的に、テキストデータのような非オーディオデータを含んでいる。いずれにせよ、適切に構成されている無線受信機および出力メカニズムは、無線番組を表現する可聴サウンドを発生させたり、追加デジタル情報を表現する、テキスト、画像、グラフィック等を表示したりすることができ、これによって、ユーザの無線リスニング経験を向上させることができる。
【００３０】
したがって、通信デバイス１２は、ブロードキャスト無線送信１４を受け取り、ブロードキャスト無線送信１４を、通信デバイス１２によって使用するための情報に変換するための、受信機３０を具備している。１つの特定の観点では、受信機３０は、ＲＤＳデコーディング能力を備えるように構成されており、これにより、受信機３０は、スピーカやディスプレイのような、ユーザインターフェース３２の１つ以上の出力メカニズムによってレンダリングするために、主コンテンツ２２と補助コンテンツ２４とをパーズし、これらの各コンポーネントを転送することができる。
【００３１】
さらに、通信デバイス１２は、受信機３０と通信し、主コンテンツ２２および／または補助コンテンツ２４の出力をユーザインターフェース３２上で制御するように動作可能な無線プレーヤモジュール２６を備えている。特に、無線プレーヤモジュール２６は、ハードウェア、ソフトウェア、ファームウェア、アルゴリズム、対話式メニュー等のうちの１つ、または、これらのものを任意に組み合わせたものを備えていてもよく、これによって、ユーザは、通信デバイス１２の無線機能の動作を管理することができる。
【００３２】
通信デバイス１２のユーザは、主コンテンツ２２の可聴表現を聴くために無線プレーヤモジュール２６を実行しつつも、ユーザは、補助コンテンツ２４の表現を見るために、通信デバイス１２上のディスプレイをいつも注視することはできないかもしれない。例えば、ユーザが通信デバイス１２を見ていない場合に、または、ユーザが、ポケットにデバイスを入れている場合またはディスプレイを容易に見ることができない別の遠隔的な位置に置いている場合に、この状況が生じるかもしれない。したがって、１つの観点では、無線プレーヤモジュール２６は、受信機３０によって受け取った補助コンテンツ２４の存在を識別するように動作可能な検出器モジュール３４を備えるか、または、検出器モジュール３４と通信する。１つの観点では、例えば、受け取った補助コンテンツ２４の識別が検出器３４によってなされたときに、無線プレーヤモジュール２６は、アラート信号３６を発生させるように動作可能であり、アラート信号は、アラーティングデバイス３８をアクティブ化して、非視覚通知４０を出力させるように機能する。アラーティングデバイス３８は、非視覚通知４０を含む出力を発生させるように動作可能なハードウェア、ソフトウェア、命令、アラート発生アルゴリズム等のうちの１つ、または、これらのものを任意に組み合わせたものを備えていてもよい。ディスプレイ上の補助コンテンツ２４の表現をユーザが見逃さない可能性を高くするために、非視覚通知４０によって、通信デバイス１２は、ユーザの関心を引きそうなメカニズムを使用して、補助コンテンツ２４の存在をユーザに知らせることができる。
【００３３】
例えば、非視覚通知４０は、可聴サウンド通知または触覚型通知のうちの１つ、または、これらのものを任意に組み合わせたものを含んでいてもよいが、これらに限定されない。例えば、可聴サウンド通知は、トーンや、アラームや、音楽クリップや、スピーチクリップや、バイブレーションによって発生されるサウンドや、補助コンテンツ２４の少なくとも一部または通信デバイス１２に記憶されている他のテキストに基づいてテキストからスピーチに変換されたメッセージを含むが、これらに限定されない。また、例えば、触覚型通知はバイブレーションを含むが、バイブレーションに限定されない。
【００３４】
さらに、いくつかの観点において、可聴サウンド通知は、主コンテンツ２２を表現する可聴サウンドに対して区別可能であることに留意すべきである。さらに、いくつかの観点では、例えば、主コンテンツ２２を表現する可聴サウンドの一部を置換することによるように、または、主コンテンツ２２を表現する可聴サウンドの一部と組み合わせることによるように、可聴サウンド通知は、主コンテンツ２２を表現する可聴サウンドの出力に導入されてもよい。また、「主コンテンツ２２を表現する可聴サウンドの出力に導入される」というフレーズは、同じ出力信号、チャネル、またはデバイスに追加されること、あるいは、異なる出力信号、チャネル、またはデバイスに追加されることを意味しており、ここでは、信号、チャネル、またはデバイスは、例えば、左側および右側を含んでいてもよいが、これらに限定されない。例えば、通信デバイス１２に組み込まれる、または、通信デバイス１２に接続されている異なる左側および右側のスピーカが、存在していてもよい。さらに、先に述べた観点のうちの何らかの観点では、可聴サウンド通知は、主コンテンツ２２を表現する可聴サウンドよりも、比較的より高い量で出力されるように構成されていてもよい。
【００３５】
さらに、アラーティングデバイス３８は、通信デバイス１２のコンポーネントであってもよく、または、通信デバイス１２に接続されていてもよいことに、あるいは、アラーティングデバイス３８は通信デバイス１２から離れていてもよいことにも留意すべきである。例えば、アラーティングデバイス３８は、ユーザのすぐ近くのエリアに存在する可能性がある別のデバイスであってもよく、ここで、アラーティングデバイス３８は、アラート信号３６の受け取り時に、非視覚通知４０を出力するように構成されている。例えば、アラーティングデバイス３８は、ユーザのパーソナルエリアネットワーク中の別のデバイスおよび／またはワイドエリアネットワークによる通信中の別のデバイスであってもよい。したがって、１つの観点では、補助コンテンツ２４を最初に受け取って検出する通信デバイス１２は、異なるデバイスにアラート信号３６を送信する中継デバイスまたはゲートウェイであってもよい。
【００３６】
例えば、通信デバイス１２は、ワイヤレス電話機であってもよく、地上電話機および／またはテレビ、および／またはページャ等にアラート信号３６を送信してもよい。一方、通信デバイス１２は、テレビまたはデスクトップコンピュータであってもよく、アラート信号３６をワイヤレス電話機に送信してもよい。さらに、先に述べたように、通信デバイス１２は、１つよりも多いアラーティングデバイス３８にアラート信号３６を送信するように動作可能であってもよい。
【００３７】
さらに、通信デバイス１２は、検出または一致した補助コンテンツ２４につき、１つより多いアラート信号３６を発生および／または送信するように動作可能であり、そして、通信デバイス１２および／またはアラーティングデバイス３８は、検出または一致した補助コンテンツ２４につき、１つより多い非視覚通知４０を出力するように動作可能であることに留意すべきである。例えば、一連のアラート信号３６および／または非視覚通知４０は、与えられた時間期間にわたって発生されてもよい。
【００３８】
図２を参照すると、別の観点では、通信デバイス１２は、アラート信号３６の発生および／または非視覚通知４０の出力によってユーザ制御を提供するように動作する付加的なコンポーネントを備えている。特に、１つの観点では、通信デバイス１２は、数ある中で、アラート信号３６および／または非視覚的通知４０を発生させるか否かを決定する際に使用するための、１つ以上のユーザ定義基準４４を記憶するように動作可能なメモリ４２を備えている。
【００３９】
例えば、ユーザ定義基準４４は、文字、数、シンボル、ワード、フレーズ、またはテキストデータの少なくとも何らかの部分のようなデータのうちの１つ、または、これらのものを任意に組み合わせたものを備えていてもよいが、これらに限定されない。使用ケースの例において、ユーザ定義基準４４は、アーティスト名またはバンド名、音楽または番組のタイプ（例えば、ロック、カントリー、ニュース、トーク等）、特定のラジオ番組の名前、ディージェイの名前等のようなユーザが関心ある主コンテンツ２２のタイプに関連していてもよい。使用ケースの別の例では、ユーザ定義基準４４は、時刻または日付けであってもよい。使用ケースの別の例では、ユーザ定義基準４４は、１つ以上の無線局名、スローガン、呼出文字または周波数であってもよい。新しい使用ケースを定義するために、先の使用ケースのそれぞれを互いの１つ以上のものと組み合わせてもよいことに留意すべきである。
【００４０】
したがって、この観点では、通信デバイス１２は、補助コンテンツ２４の少なくとも一部を、１つ以上のユーザ定義基準４４と比較して、一致が存在するか否かを決定するように動作可能な比較器４６を付加的に備えていてもよい。一致の存在の識別に応答して、無線プレーヤモジュール２６は、例えば、ローカルまたは遠隔使用のためにアラート信号３６を発生させるように、および／または、非視覚通知４０を出力させるように、双方とも先に記述したような同じ方法で動作可能である。
【００４１】
さらなる観点では、無線プレーヤモジュール２６は、無線機能の動作可能な能力を定義するモード設定４８を備えていてもよい。例えば、モード設定４８は、無線プレーヤモジュール２６の全機能に対応している、「対話式」モードまたは「オン」モードを含んでいてもよい。対話式モードまたはオンモードでは、無線プレーヤモジュール２６によって、主コンテンツ２２および補助コンテンツ２４の表現を、ユーザインターフェース３２の１つ以上の出力デバイス上で出力することが可能であるとともに、ユーザとの対話を管理すること、例えば、無線局を変更／設定すること、音量設定を変更／設定すること、補助コンテンツ２４に応答すること等が可能である。
【００４２】
これに対して、モード設定４８はまた、無線プレーヤモジュール２６の限定機能に対応している、「アイドル」モードまたは「節電」モードを含んでいてもよい。アイドルモードまたは節電モードでは、１つの観点において、無線プレーヤモジュール２６が、受信機３０と通信し、これにより、ブロードキャスト無線信号１４、または、主コンテンツ２２および補助コンテンツ２４の受け取りが可能になる。しかしながら、特定の信号１４および／または特定のコンテンツ２２および２４が制限され、各コンテンツ２２および２４に対応している信号および／または表現の出力が制限されるかもしれない。例えば、アイドルモードでは、無線プレーヤモジュール２６は、例えば、ユーザ設定に基づいて、無線機を所定の周波数に対してのみ同調させてもよい。さらに、例えば、アイドルモードでは、無線プレーヤモジュール２６は、例えば、再びユーザ設定に基づいて、あるコンテンツ２２および２４のみの処理を許可してもよい。
【００４３】
したがって、この観点では、ユーザは、無線プレーヤモジュール２６にアラート信号３６および／または非視覚通知４０の発生を開始させるか否かを決定する際に、モード設定４８を別の要因として利用してもよい。特に、モード設定４８がアイドルモードを構成するとき、ブロードキャスト無線信号１４、したがって主コンテンツ２２および補助コンテンツ２４の受け取り、および／または、コンテンツ２２および２４の表現のデバイス１２上での出力は、１つ以上のユーザ定義基準４４に基づいていてもよい。一般的に、例えば、アイドルモードでは、アラート信号３６および／または非視覚通知４０の発生は、ユーザ定義基準４４によって定義されるような、１つ以上の無線局名、スローガン、呼出文字、または周波数を受け取ることと、各１つ以上の信号１４からの補助コンテンツ２４の少なくとも一部と、テキストのようなユーザ定義基準４４の１つ以上の部分との間の一致を決定することとの組み合わせに基づいていてもよい。代わりに、無線プレーヤモジュール２６は、何らかのユーザ定義基準４４代わりに、デフォルトデータを含んでいてもよい。いずれにせよ、無線プレーヤモジュール２６がアイドルモードに等しいモード設定４８を有するとき、ユーザ定義基準４４のうちの１つ、または、これを任意に組み合わせたものが、ブロードキャスト無線信号１４および／または補助コンテンツ２４に適用されるフィルタとして利用されてもよく、これによって、アラート信号３６および／または非視覚通知４０の発生を制限することができる。
【００４４】
さらに、この観点では、無線プレーヤモジュール２６は、アラート信号３６または別の独立した信号の発生を開始してもよく、さらに、これは、一致報告メッセージ５０に対応しているメッセージデータ４９を含む。特に、メッセージデータ４９は、ユーザ定義基準との、受け取ったコンテンツの決定されたアイドルモード一致についての情報を含み、この情報は、一致報告メッセージ５０によってユーザに報告することができる。例えば、一致報告メッセージ５０は、ユーザインターフェース３２によって発生され、一致を識別する視覚または可聴メッセージを含んでいてもよいが、これに限定されない。さらに、一致報告メッセージ５０は、モード設定４８を対話式モードまたはオンモードに変更するか否かについてのユーザ入力を受け取るように動作可能な対話式部分５１をさらに含んでいてもよく、これによって、主コンテンツ２２および補助コンテンツ２４の表現の出力が可能になる。
【００４５】
したがって、図１および図２の先に記述した観点では、通信デバイス１２は、ブロードキャスト無線送信１４からの補助コンテンツ２４の受け取りを識別する検出器３４を備えており、検出器３４は、補助コンテンツ２４の表現をディスプレイ上で見ることができるように、アラーティングデバイス３８をアクティブ化して、非視覚通知４０を出力し、ユーザの注意を引くように動作可能なアラート信号３６の発生を開始する。さらに、通信デバイス１２は、１つ以上のユーザ定義基準４４に基づいて、アラート信号３６の発生および／または非視覚通知４０の出力によってユーザ制御を提供するように動作可能な比較器４６を備えていてもよい。さらに、比較器４６の使用は、モード設定４８がアイドルモードであるときのような、無線プレーヤモジュール２６のモード設定４８に基づいていてもよい。補助コンテンツ２４に基づいて、通信デバイス１２にアラーティング能力を提供するために、先に記述した観点は、個々に、または、任意に組み合わせたもので利用されてもよいことに留意すべきである。したがって、記述したシステムは、補助コンテンツ２４を受け取ったときにユーザに通知し、ユーザ定義基準４４にしたがって、受け取りおよび通知機能を制御することを可能にする。
【００４６】
図１および３を参照すると、ブロードキャスト無線ネットワーク１６は、何らかの公的または私的に所有されるブロードキャスト無線局を備えていてもよく、ブロードキャスト無線局は、周波数変調（ＦＭ）および／または振幅変調（ＡＭ）無線局および／または衛星無線局のような無線番組を提供する。例えば、ブロードキャスト無線送信１４は、音楽のような主コンテンツ２２を表す情報を第１の搬送波周波数上で伝える変調された無線搬送波信号を含む。さらに、送信１４は、主搬送波信号に対応している補助情報２４を第１の搬送波周波数とは異なる第２の搬送波周波数上で伝える変調された無線副搬送波信号を付加的に含んでいてもよい。
【００４７】
例えば、約８７．５ＭＨｚないし約１０８．０ＭＨｚの範囲のチャネルを有する、米国で動作しているＦＭ帯域ＲＤＳシステムの観点では、主コンテンツ２２に対する搬送波周波数は、ステレオのオーディオでは約２３ｋＨｚと５３ｋＨｚとの間であってもよく、モノラルオーディオでは１５ｋＨｚまたは１５ｋＨｚより小さくてもよい一方で、補助コンテンツ２４に対する搬送波周波数は、約５７ｋＨｚであってもよく、１１８７．５ビット／秒データレートを可能にする。さらに、例えば、約５２０ｋＨｚないし約１７１０ｋＨｚの範囲のチャネルを有する、米国で動作しているＡＭ帯域ＲＤＳシステムでは、補助コンテンツ２４は、例えば、可聴以下の周波数範囲におけるような、約２０Ｈｚと約１０ｋＨｚとの間の（人間）可聴範囲外の副搬送波周波数によって伝えられてもよい。さらに、例えば、衛星帯域ＲＤＳシステムは、ギガヘルツ（ＧＨｚ）範囲のチャネルを有しているかもしれない。例えば、北アメリカでは、衛星無線は２．３ＧＨｚ Ｓ帯域を使用しているブロードキャストである一方で、世界の他の地域では、衛星無線は１．４ＧＨｚ Ｌ帯域を使用しているブロードキャストである。さらに、衛星帯域ＲＤＳシステムでは、補助コンテンツ２４を番組関係データ（ＰＡＤ）と呼んでもよい。
【００４８】
したがって、特に、図３を参照すると、無線局１８および２０は、ブロードキャスト発生器５２を備えており、ブロードキャスト発生器５２は、主コンテンツ２２および補助コンテンツ２４をエンコードする１つ以上のエンコーダ５４と、各搬送波上でコンテンツを受信機にブロードキャストする１つ以上の送信機５６とを備えている。それぞれの無線局１８および２０は、主コンテンツ２２および補助コンテンツ２４を取得して、ブロードキャスト無線送信１４を発生させるための、何らかのハードウェア、ソフトウェア、ファームウェア、モジュール、データおよび命令を含んでいてもよい。例えば、１つの観点では、無線局１８および２０は、主コンテンツ２２および第２コンテンツ２４を取得し、ブロードキャスト無線送信１４として、ブロードキャスト発生器５２により送信用の無線番組６５を発生させるようにプロセッサ６２によって実行可能であり、メモリ６０中に記憶されている無線番組モジュール５８を備えていてもよい。この観点では、無線番組６５は、主コンテンツ２２により表現される主オーディオまたは無線番組と、補助コンテンツ２４により表現されるＲＤＳデータのような、関係する拡張された情報とを含む。
【００４９】
例えば、ＲＤＳシステムでは、補助コンテンツ２４は、何らかのＲＤＳデータを含んでいてもよく、ＲＤＳデータは、代替周波数（ＡＦ）データや、クロック日時（ＣＴ）データや、拡張された他のネットワーク（ＥＯＮ）データや、番組識別（ＰＩ）データや、番組項目番号（ＰＩＮ）データや、拡大国コード（ＥＣＣ）データや、番組サービス（ＰＳ）データや、スクローリング番組サービス（ＳＰＳ）データや、番組タイプ（ＰＴＹ）データや、番組タイプ名（ＰＴＹＮ）データや、領域リンク（ＲＥＧ）データや、無線テキスト（ＲＴ）または無線テキストプラス（ＲＴｐｌｕｓ）データや、移動アナウンス（ＴＡ）データや、移動番組（ＴＰ）データや、トラフィックメッセージチャネル（ＴＭＣ）データや、音楽／スピーチ切替（Ｍ／Ｓ）データや、透明データチャネル（ＴＤＣ）データや、無線ページング（ＲＰ）データや、室内アプリケーション（ＩＨ）データや、緊急警告システム（ＥＷＳ）データや、オープンデータアプリケーション（ＯＤＡ）のようなフリーフォーマットグループからのデータ、のうちの何らかの１つ、または、これらのものを任意に組み合わせたものを備えていてもよいが、これらに限定されない。
【００５０】
したがって、ＲＤＳシステムでは、エンコーダ５４が、ＲＤＳエンコーダモジュール６４を備え、ＲＤＳエンコーダモジュール６４は、ＲＤＳ仕様にしたがって補助コンテンツ２４をエンコードするように動作可能な、ハードウェア、ソフトウェア、ファームウェア、命令、またはアルゴリズムのうちの何らかの１つ、または、これらのものを任意に組み合わせたものを備えている。例えば、ＲＤＳ仕様にしたがって、ＲＤＳデータは、グループにフォーマット化され、ＡおよびＢのタイプに分割される１６個のグループが存在する。これらのグループは、例えば、ＰＩ、ＰＳ、ＰＴＹ、ＰＴＹＮ、およびＲＴのような先に記載した、異なるタイプの補助情報２２のような異なるデータを含む。ブロードキャスト無線局１６および／または１８におけるＲＤＳエンコーダは、グループシーケンスで、グループのさまざまな組み合わせをブロードキャストしてもよい。
【００５１】
グループは１０４ビットとしてフォーマット化され、それぞれのグループは４ブロックに分割される。ブロックは２６ビットを含み、情報ワードと、チェックワード＋オフセットワードとに分割される。情報ワードは、１６ビットを含み、データを伝える一方で、チェックワード＋オフセットワードは１０ビットを含み、エラー訂正および同期化のためのものである。
【００５２】
さらに、それぞれのグループに対して：ブロック１は無線局のＰＩコードを含む；ブロック２は、現在送信されているグループを識別するグループタイプコードや、グループをタイプＡまたはタイプＢと識別するバージョンフラグや、ＴＰフラグや、ＰＴＹや、５個の個別のビットを含む；ブロック３および４はグループ特定データを含む。Ｂグループでは、より良い同期化のために、ＰＩコードがブロック３で繰り返されることに留意すべきである。
【００５３】
さらに、特別なタイプのグループを、オープンデータアプリケーション（ＯＤＡ）と呼ぶ。ＯＤＡグループは、ＲＤＳに基づいた非常に数多くの特定のアプリケーションの基準を可能にする。ＯＤＡアプリケーションを使用するために、ブロードキャスタは、ＯＤＡを識別するためのアプリケーション識別（ＡＩＤ）の１６ビットコードを持つ３Ａグループを送る。さらに、３Ａグループは、ＯＤＡによって使用されるであろうグループを報告するための５ビットと、アプリケーション関連情報を送るために使用可能な１６ビットとを含む。例えば、軽量のアプリケーションを、３Ａグループの最後の１６ビットに埋め込むことができる。さもなければ、説明した５ビットの部分は、情報を送るために使用されるべき他のグループを特定し、ここでは、他のグループは、３Ｂ、４Ｂ、５Ｂ、６Ｂ、７Ｂ、８Ｂ、９Ｂ、１０Ｂ、１１Ａ、１１Ｂ、１２Ａ、１２Ｂ、および１３Ｂを含んでいてもよい。適切に備え付けられたターゲットの受信機は、アプリケーションを起動させてＯＤＡ情報にアクセスするために、ＡＩＤコードを認識し、ＡＩＤコードをデコードすることができる。ＲＤＳイネーブル受信機間で必要とされる調整および相互運用性を保証するために、ＡＩＤコードは、公式に、北アメリカではＮＡＢ（国際ブロードキャスタ協会）から、そしてヨーロッパではＥＢＵ（欧州ブロードキャスタ連合）から必要とされている。
【００５４】
図１および図２に戻って、さらに、図４を参照すると、通信デバイス１２は、ブロードキャスト無線送信１４を受け取ってデコードし、アラート信号３６および／または非視覚通知４０の発生を開始し、主コンテンツ２２および補助コンテンツ２４の表現をユーザインターフェース３２上で出力するようにさらに構成されている。
【００５５】
さらに詳細に説明すると、通信デバイス１２をセルラ電話機として図示したが、通信デバイス１２は、ブロードキャスト信号を受け取ることができる何らかのコンピュータ化されたデバイスを含んでいてもよいことを理解すべきである。したがって、システム１０は、１つ以上のワイヤードまたはワイヤレス通信デバイス１２を含んでいてもよく、この１つ以上のワイヤードまたはワイヤレス通信デバイス１２は、セルラ電話機、パーソナルデジタルアシスタント（ＰＤＡ）、衛星電話機、パームコンピュータ、パーソナル通信サービス（ＰＣＳ）デバイス、ポータブルゲームまたは音楽デバイス等を含んでいてもよい。
【００５６】
さらに、通信デバイス１２のユーザインターフェース３２は、通信デバイス１２への入力を発生させるための少なくとも１つの入力デバイス６６と、通信デバイス１２のユーザ１５による消費用の情報を発生させるための少なくとも１つの出力デバイス６８とを備えている。例えば、入力デバイス６６は、キー、キーパッドおよび／またはキーボード７０、マウス、タッチスクリーンディスプレイ、マイクロフォン７２等のようなメカニズムのうちの１つ、または、これらのものを任意に組み合わせたものを備えていてもよい。いくつかの観点では、以下で説明する、無線プレーヤモジュール２６や、ワイヤレスサービスモジュール７６や、他のアプリケーション７８のような、アプリケーション、プログラムまたはモジュールと対話するために、入力デバイス６６はユーザ入力を提供する。さらに、例えば、出力デバイス６８は、オーディオスピーカ７４、ディスプレイ８０、バイブレータのような触覚型フィードバックメカニズム８２等のうちの１つ、または、これらのものを任意に組み合わせたものを備えていてもよいが、これらに限定されない。さらに、ユーザインターフェース３２は、１つ以上の出力ポート８４を備えていてもよく、例えば、このポート８４にスピーカまたはイヤフォン８８および９０のような１つ以上の遠隔出力デバイス８６が接続されていてもよい。例えば、出力ポート８４は、機械的コネクタ、赤外線送信機／受信機、ブルートゥース（登録商標）送信機／受信機、ＩＥＥＥ８０２．１１ｘ送信機／受信機等を備えていてもよい。特に、先に述べた出力デバイス６８の１つ、または、この任意の組み合わせが、アラーティングデバイス３８を定義してもよい（図１ないし図２）。
【００５７】
さらに、１つ以上の出力デバイス６８は、主コンテンツ２２および補助コンテンツ２４に対応している出力信号６９および７１を受け取り、これらの信号を、それぞれ、主コンテンツ２２および補助コンテンツ２４をそれぞれ表現する発生された出力７３および７５に変換させるように動作可能な回路を備えていてもよい。例えば、１つの非制限的な観点では、主コンテンツ２２に対応している発生された出力７３は、スピーカ７４によって発生される可聴サウンドを含む一方で、補助コンテンツ２４に対応している発生された出力７５は、ディスプレイ８０によって発生されるテキスト、イメージ、またはグラフィックを含んでいてもよい。しかしながら、補助コンテンツ２４に対応している発生された出力７５は、スピーカ７４からのような可聴サウンドや、触覚型フィードバックメカニズム８２からのようなバイブレーションや、ディスプレイ８０によって発生されるグラフィックや、ディスプレイ８０によって発生されるテキスト、イメージ、またはグラフィックのうちの１つ、または、これらのものを任意に組み合わせたものや、主コンテンツ２２に対応している発生された出力７３とさらに組み合わせたこれらのもののうちの何らかの１つ、または、任意に組み合わせたものを含んでいてもよいことに留意すべきである。
【００５８】
さらに、ユーザインターフェース３２は、コンピュータプラットフォーム９２の一部であってもよく、または、コンピュータプラットフォーム９２に接続されていてもよい。コンピュータプラットフォーム９２は、プロセッサ９６によって実行可能であり、ユーザインターフェース３２および通信インターフェースモジュール９８と対話する１つ以上のモジュール、プログラム、またはアプリケーションを有するメモリ４２を備えている。
【００５９】
プロセッサ９６は、例えば、メモリ４２中に記憶されているアプリケーション、プログラム、モジュールと協働して、通信デバイス１２の動作を制御する。制御機能は、例えば、単一のマイクロプロセッサ、または、複数のマイクロプロセッサで実現されてもよい。適切なマイクロプロセッサは、汎用および特別目的のマイクロプロセッサならびにデジタル信号プロセッサを含んでいてもよい。さらに、例えば、プロセッサ９６は、特定用途向け集積回路（ＡＳＩＣ）、または、他のチップセット、ロジック回路、または他のデータ処理デバイスであってもよい。いくつかの観点では、ＡＳＩＣのような他のデータ処理デバイスまたはプロセッサ９６は、メモリ４２中に記憶されている何らかの常駐アプリケーション、プログラム、またはモジュールとインターフェースするアプリケーションプログラミングインターフェース（ＡＰＩ）レイヤ１００を実行してもよい。例えば、ＡＰＩ１００は、通信デバイス１２上で実行している実行時環境であってもよい。１つのこのような実行時環境は、カリフォルニア、サンディエゴのＱｕａｌｃｏｍｍ Ｉｎｃｏｒｐｏｒａｔｅｄによって開発されたワイヤレス向けのバイナリ実行時環境（ＢＲＥＷ）ソフトウェア（登録商標）である。例えば、アプリケーション、プログラム、モジュールの、コンピューティングデバイス上での実行を制御するように動作する他の実行時環境を利用してもよい。
【００６０】
さらに、プロセッサ９６は、１つ以上のオーディオプロセッサモジュール１０２とインターフェースしても、または、１つ以上のオーディオプロセッサモジュール１０２を備えていてもよい。このオーディオプロセッサモジュール１０２は出力信号６９および７１を１つ以上のスピーカ７４に提供し、マイクロフォン７２からオーディオ入力を受け取る。例えば、オーディオプロセッサモジュール１０２は、受信機３０および／または無線プレーヤモジュール２６と協働していてもよく、主コンテンツ２２および補助コンテンツ２４を処理して信号６９および７１を発生させるように動作可能なハードウェア、ソフトウェア、ファームウェア、命令、またはアルゴリズムのうちの１つ、または、これらのものを任意に組み合わせたものを備えていてもよい。補助コンテンツ２４のオーディオデータおよび主コンテンツ２２は、同じまたは異なったオーディオフォーマットのうちのいずれかであってもよく、オーディオフォーマットは、オーディオプロセッサモジュール１０２によって認識され、１つ以上のスピーカ７４のような所定の出力デバイスに対して、適切なオーディオ信号を転送および／または発生させるために使用できることに留意すべきである。さらに、プロセッサ９６は、非オーディオプロセッサモジュール１０５を備えていてもよく、受信機３０および／または無線プレーヤモジュール２６と協働してもよく、また、プロセッサ９６は、例えば、テキスト、ビデオ、グラフィック等の非オーディオの、補助コンテンツ２４の形態を処理して、ディスプレイ８０または触覚型フィードバックメカニズム８２のような１つ以上の出力デバイス６８による受け取りのために出力信号７１を発生させるように動作可能なハードウェア、ソフトウェア、ファームウェア、命令、またはアルゴリズムうちの１つ、または、これらのものを任意に組み合わせたものを備えていてもよい。
【００６１】
さらに、プロセッサ９６は、スピーチシンセサイザ１１４を有する変換器モジュール１１３を備えていてもよく、または、スピーチシンセサイザ１１４を有する変換器モジュール１１３と対話してもよい。例えば、非視覚通知メッセージ４０の可聴形態を発生させる際に使用するために、変換器モジュール１１３は、テキストデータからスピーチデータに補助コンテンツ２４を変更するように動作可能である。例えば、変換器モジュール１１３および／またはスピーチシンセサイザ１１４は、メモリ４２中のようなデータベース中に記憶された記録されたスピーチの部分を連結させることによって、および／または、完全な「合成」音声出力を生成させるために、声道および他の人の音声特性のモデルを実現することによって、生成される人のスピーチを表現するオーディオ信号を発生させるように動作可能なハードウェア、ソフトウェア、および／またはアルゴリズムを含んでいる。例えば、変換器モジュール１１３によって、テキストベース補助コンテンツ２４を通信デバイス１２上でスピーチとして出力することが可能になる。
【００６２】
メモリ４２は、通信デバイス１２に関係する何らかのタイプのメモリを表す。例えば、メモリ４２は、ランダムアクセスメモリ（ＲＡＭ）や、リードオンリーメモリ（ＲＯＭ）、消去可能ＲＯＭ（ＥＰＲＯＭ）や、電子的消去可能ＲＯＭ（ＥＥＰＲＯＭ）や、フラッシュカードや、またはコンピュータプラットフォームに一般的な何らかのメモリ、のうちの１つ、または、これらのものを任意に組み合わせたものを含む。さらに、メモリ４２は、１つ以上のフラッシュメモリセルを含んでいてもよく、あるいは、磁気媒体、光媒体、テープ、またはソフトまたはハードディスクのような何らかの二次または三次記憶デバイスであってもよい。例えば、通信デバイス１２の動作で利用されるコンピュータプログラム命令、コードおよび／またはデータは、ＥＰＲＯＭ、ＥＥＰＲＯＭ、および／またはフラッシュメモリのような不揮発性メモリに記憶されていてもよい。さらに、メモリ４２は、ディスクリートデバイス、スタック化デバイスとして実現されてもよく、または、プロセッサ９６と一体化されてもよい。メモリ４２はまた、一時的メモリバッファとして使用するために分割され専用化されたエリアを含んでいてもよく、ユーザインターフェース３２にレンダリングするためのデータ、および／または、メモリ４２中に記憶されている、または、メモリ４２から実行される任意の常駐アプリケーション、プログラム、またはモジュールによって使用するためのデータを記憶していてもよい。さらに、メモリ４２は、無線プレーヤモジュール２６と、主コンテンツ２２、補助コンテンツ２４のような、受け取ったまたは発生されたコンテンツとを記憶していてもよく、これらは、通信デバイス１２を動作させる際にプロセッサ９６によって使用される。また、例えば、メモリ４２は、アラート信号３６および／または非視覚通知４０に対応しているデータを記憶していてもよく、これによって、所定の通知に対応している情報をユーザがキャッシュして、後に呼び出し、再生またはダウンロードすることができる。
【００６３】
さらに、通信インターフェースモジュール９８によって、ブロードキャスト無線送信１４の受け取りができ、いくつかの観点では、さらに、ワイヤレス通信ネットワーク１０４（図１）との、または、他のワイヤレスデバイス１０６（図１）との、または、遠隔アラーティングデバイス３８（図１および図２）とのワイヤレス通信メッセージ１０３（図１）の送信および受け取りがさらにできる。例えば、１つの観点では、例えば、近距離無線信号を近くのデバイスに送信する、および、近くのデバイスから受け取るための、ならびに／あるいは、長距離無線信号を、例えば、ワイヤレス通信ネットワーク１０４における１つ以上の基地局に送信する、および、１つ以上の基地局から受け取るための、１つ以上のアンテナ１１０に結合されている１つ以上のトランシーバ１０８、例えば、送信機および受信機コンポーネントを、通信インターフェースモジュール９８は備えている。トランシーバ１０８は、ＣＤＭＡ、ｃｄｍａＯｎｅ、ｃｄｍａ２０００、ＵＭＴＳ、広帯域ＣＤＭＡ、グローバルシステムフォーモバイル通信（ＧＳＭ）、ＴＩＡ／ＥＩＡ−１３６、ブルートゥース、ＵＭＢ、ＷｉＭａｘ、Ｗｉ−Ｆｉ、ＩＥＥＥ８０２．１１ｘ等を含む、知られている何らかの標準規格にしたがって動作してもよい。さらに、出力ポート８４は、通信インターフェースモジュール９８の一部であってもよく、または、通信インターフェースモジュール９８と相互接続していてもよいことに留意すべきである。
【００６４】
受信機３６は、トランシーバ１０８内に備えられていてもよく、ブロードキャスト無線ネットワーク１６によって送信された無線ブロードキャスト信号１４を受け取って復調する。例えば、受信機３６は、１つ以上の出力デバイス６８によってユーザに出力するために、ＲＤＳベースのＦＭ、ＡＭ、または衛星無線ブロードキャストをフィルタリングおよび復調するように構成されていてもよい。したがって、１つの観点では、受信機３６は、ＲＤＳデコーダモジュール１１２を備えていてもよく、ＲＤＳデコーダモジュール１１２は、主コンテンツ２２および補助コンテンツ２４をパーズして、補助コンテンツをデコードするようにＲＤＳシステムの標準規格にしたがって動作可能なハードウェア、ソフトウェア、ファームウェア、命令、またはアルゴリズムのうちの何らかの１つ、または、これらのものを任意に組み合わせたものを備えている。
【００６５】
先に述べたように、通信デバイス１２は、無線プレーヤモジュール２６をさらに備えており、無線プレーヤモジュール２６はメモリ４２に記憶されていてもよい。無線プレーヤモジュール２６は、ブロードキャスト無線送信１４の受け取りおよびブロードキャスト無線送信１４との対話を制御するために、ユーザに対話を提供する。例えば、無線プレーヤモジュール２６は、１つ以上の対話式ユーザインターフェース１２０を１つ以上の出力デバイス６８上で発生させるように動作可能なハードウェア、ソフトウェア、ファームウェア、命令、またはアルゴリズムのうちの１つ、または、これらのものを任意に組み合わせたものを備えていてもよく、これによって、ユーザは、無線局に同調させたり、お気に入りの局を保存したり、音量を調整したり、後の呼び出しのために補助コンテンツ２４をメモリ４２に保存したり、１つ以上のユーザ定義基準４４を定義したり、アラート信号３６または非視覚通知メッセージ４０または一致報告メッセージ５０の発生を開始させるための条件を定義したり、アイドル設定４８を変更したりでき、そして、主コンテンツ２２の無線ブロードキャストを聞くことや補助コンテンツ２４を経験することに伴う他の何らかの対話、または、ここで記述した対話を実行したりすることができる。
【００６６】
例えば、１つ以上の対話式ユーザインターフェース１２０は、ディスプレイ８０上に提示されるグラフィカルユーザインターフェースや、スピーチシンセサイザ１１４により発生されて、スピーカ７４により出力される可聴ユーザインターフェースや、キーボード７０上のキーやディスプレイ８０上で発生されるバーチャルキーのようなユーザアクティブ化応答入力や、マイクロフォン７２によって受け取られて、プロセッサ９６内の音声認識モジュール１１５によって処理される音声認識応答、のうちの１つ、または、これらのものを任意に組み合わせたものを備えていてもよいが、これらに限定されない。
【００６７】
さらに、検出器３４は、受信機３０と通信し、何らかの受け取った信号１４を監視し、何らかの受け取った信号１４が補助コンテンツ２４を含むか否かを識別し、補助コンテンツ２４が検出されたことを示している検出された信号１２４を発生させるように動作可能なハードウェア、ソフトウェア、ファームウェア、命令、または検出器アルゴリズムのうちの１つ、または、これらのものを任意に組み合わせたものを備えていてもよい（図２）。
【００６８】
さらに、いくつかの観点では、先に述べたように、通信デバイス１２は、比較器４６を備えており、比較器４６は、１つ以上のユーザ定義基準４４を取得またはアクセスするように、検出器３４と、受信機３０と、メモリ４２とのうちの１つ、または、これらのものを任意に組み合わせたものと通信する。比較器４６は、検出された信号１２４に応答して（図２）、検出された補助コンテンツ２４の少なくとも一部を調べ、ユーザ定義基準４４にアクセスまたはユーザ定義基準４４を取得し、検出された補助コンテンツ２４の少なくとも一部と、１つ以上のユーザ定義基準４４の少なくとも一部との間に一致が存在するか否かを決定し、少なくとも、ある程度の一致が存在することを示している対応信号１２６を発生させる（図６）ように動作可能なハードウェア、ソフトウェア、ファームウェア、命令、または比較アルゴリズムのうちの１つ、または、これらのものを任意に組み合わせたものを備えていてもよい。いくつかの観点では、例えば、比較器４６は、テキストデータを比較して、文字、シンボル、数字、ワード、フレーズ等間の一致を決定するように動作可能なアルゴリズムを備えていてもよい。さらに、いくつかの観点では、検出された補助コンテンツ２４が、例えば、曲、アーティスト、ニュース項目、株式市場等のユーザが興味を持つ主コンテンツ２２の形態に実際に対応するか否かを、ユーザ定義基準４４の１つ、または、これを組み合わせたものに基づいて確認するために、比較器４６は、パターン一致の形態を組み込んでいるアルゴリズムを備えていてもよい。したがって、比較器４６による一致の決定は、対応信号１２６の発生をトリガし、対応信号１２６の発生はアラート信号３６および／または通知４０の発生をトリガする。
【００６９】
さらに、いくつかの観点では、無線プレーヤモジュール２６は、検出器３４と通信するアラート発生器１２８を付加的に備え、いくつかの観点では、比較器４６を備えていてもよい。アラート発生器１２８は、検出された信号１２４（図２）および／または対応信号１２６（図２）を受け取り、これに応答して、アラーティングデバイス３０への送信のためにアラート信号３６を発生させるように動作可能なハードウェア、ソフトウェア、ファームウェア、命令、またはアラートシグナリングアルゴリズムのうちの１つ、または、これらのものを任意に組み合わせたものを備えていてもよい。
【００７０】
他の観点では、コンピュータデバイス１２は、メッセージ１０３をワイヤレス通信ネットワーク１０４および／または他のデバイス１０６と交換して、インターネットのような他のネットワーク１１６上の情報にアクセスするために、ワイヤレスサービスモジュール７６を実行してもよい。例えば、ワイヤレスサービスモジュール１３０は、音声通話アプリケーションや、データ通話アプリケーションや、メッセージングアプリケーションや、グループ通話アプリケーションや、マルチメディア（音楽および／またはビデオ）アプリケーションや、パーソナル情報マネージャ等、のようなサービスのうちの１つ、または、これらのものを任意に組み合わせたものを通信デバイス１２に提供するように動作可能なハードウェア、ソフトウェア、ファームウェア、命令、またはアルゴリズムのうちの１つ、または、これらのものを任意に組み合わせたものを備えていてもよい。
【００７１】
さらに、他の観点では、コンピュータデバイス１２は、カレンダーアプリケーション、計算器、ビジネスまたはコンピューティングアプリケーション、コンピュータ化されたデバイス上で動作可能な他の何らかの機能、のような他の何らかの機能を通信デバイス１２に提供するように動作可能な他のアプリケーション７８を実行してもよい。
【００７２】
動作において、通信デバイス１２を利用して、ブロードキャスト通信１４での補助コンテンツ２４の受け取りをユーザにアラートしてもよく、これによって、ユーザは、さらに、ユーザ定義基準４４に基づいて、このアラートを管理および制御することができる。
【００７３】
１つの観点では、アラートを発生させる方法は、通信デバイスにおいてブロードキャスト無線送信を受け取ることを含む（ブロック１３０）。例えば、ブロードキャスト無線送信は、主コンテンツと、主コンテンツに関係がある補助コンテンツとを含む。さらに、主コンテンツは、音楽のような第１のオーディオデータを含み、補助コンテンツは、テキストのような非オーディオデータを含む。
【００７４】
別の観点では、受け取る動作は、ＲＤＳ標準規格にしたがって送信される無線ブロードキャスト信号でのように、主コンテンツを第１の周波数上で受け取ることと、補助コンテンツを第１の周波数とは異なる第２の周波数上で受け取ることとを含んでいてもよい。
【００７５】
さらに別の観点では、受け取る動作は、第１の搬送波周波数を持つ第１の振幅変調無線波上で伝えられる無線番組信号を受け取ることと、第１の搬送波周波数とは異なる第２の搬送波周波数とを有する第２の振幅変調無線波上で伝えられる無線データシステム情報を受け取ることとを含んでいてもよく、第２の搬送波周波数は、可聴周波数範囲外である。
【００７６】
さらに、方法は、補助コンテンツの受け取りを検出することを含んでいてもよい（ブロック１３２）。例えば、検出することは、受信機コンポーネントが無線ブロードキャスト信号中で補助コンテンツをいつ受け取るかを識別する。
【００７７】
さらに、方法は、アラーティングデバイスをアクティブ化して、非視覚通知を出力させるように動作可能なアラート信号を発生させることを含んでいてもよい（ブロック１３４）。さらに、例えば、発生させることは、通信デバイス上の出力デバイスのようなローカルアラーティングデバイスへのアラート信号の送信を含んでいてもよく、または、アラート信号の送信を開始してもよい。代わりに、例えば、発生させることは、ユーザのパーソナルエリアネットワークにおけるデバイスのような遠隔的に位置付けられたアラーティングデバイスへの、ワイヤードまたはワイヤレスリンクによるアラート信号の送信を含んでいてもよく、または、アラート信号の送信を開始してもよい。さらに、例えば、発生させることは、別の通信デバイスへの、アラート信号の送信を含んでいても、または、アラート信号の送信を開始してもよい。
【００７８】
さらに、いくつかの観点では、発生させる動作は、補助コンテンツに関連するメッセージをアラート信号に追加することをさらに含んでいてもよい。さらに、発生させる動作は、補助コンテンツの少なくとも一部またはその表現をアラート信号に追加することも含んでいてもよい。
【００７９】
いくつかのオプション的な観点では、方法は、アラート信号を受け取ることに応答して、アラーティングデバイスにおいて非視覚通知を出力して、例えば、補助コンテンツの存在をユーザにアラートするように試行することをさらに含んでいてもよい（ブロック１３６）。例えば、出力する動作は、受け取った主コンテンツを表現する第１の可聴サウンドを出力することを含んでいてもよく、非視覚通知を出力することは、第２の可聴サウンドを第１の可聴サウンドの出力に導入することをさらに含む。例えば、第２の可聴サウンドは、第１可聴サウンドと区別可能であり、これによって、補助コンテンツの存在をユーザにアラートすることができる。
【００８０】
いくつかの観点では、出力する動作は、補助コンテンツの非オーディオデータを第２のオーディオデータに変換することと、第１のオーディオデータにしたがって、受け取った主コンテンツを表現する第１の可聴サウンドを出力することとを含むとともに、非視覚通知の出力は、第２の可聴サウンドを第１の可聴サウンドの出力に導入することをさらに含む。第２の可聴サウンドは、第２のオーディオデータにしたがって、補助コンテンツを表現する。
【００８１】
さらに、いくつかの観点では、非オーディオデータの、第２のオーディオデータへの変換は、テキストをスピーチに変換することをさらに含んでいてもよい。
【００８２】
さらに他の観点では、出力する動作は、受け取った主コンテンツを表現する第１の可聴サウンドを出力することを含んでいてもよく、非視覚通知を出力することは、触覚型フィードバックメカニズムをアクティブ化することをさらに含む。
【００８３】
オプション的に、方法は、補助コンテンツの少なくとも一部を、１つ以上のユーザ定義基準の少なくとも一部と比較して、一致が存在するか否かを決定することを含んでいてもよい（ブロック１３８）。この観点では、アラート信号を発生させる動作（ブロック１３４）は、一致の存在を識別する比較動作に応答する。さらに、例えば、比較する動作は、補助コンテンツを構成するテキストの少なくとも一部を、ユーザ定義テキストの少なくとも一部と比較することを含んでいてもよい。
【００８４】
さらに、いくつかの観点では、モード設定がアイドルモードを構成する場合のみ、比較する動作が実行されてもよい。さらに詳細に説明すると、例えば、いくつかの観点では、比較する動作は、無線ブロードキャスト信号の受け取りの前に、何らかの受け取った主コンテンツと何らかの受け取った補助コンテンツとの、通信デバイス上での出力を非アクティブ化するように動作可能なアイドルモードをアクティブ化することに基づいていてもよい。特に、アイドルモードをアクティブ化することは、補助コンテンツの表現の表示をディセーブルすることと、主コンテンツを表現する可聴サウンドの出力をディセーブルすることとを含んでいてもよい。
【００８５】
さらに、いくつかの観点では、比較する動作は、補助コンテンツを構成するテキストの少なくとも一部を、ユーザ定義テキストの少なくとも一部と比較することを含む。
【００８６】
さらなるオプション的な動作では、方法は、ユーザ入力に基づいたアクションを実行することを含んでいてもよい（ブロック１４０）。例えば、アクションは、アイドルモードをアクティブ化することに応答して、無線局のユーザ定義周波数に同調させることを含んでいてもよい。別の例では、方法のこの観点は、アラート信号を発生させた後に、モード変更を識別するユーザ入力を受け取ることと；ユーザ入力に応答して、アイドルモードから対話モードに変更することと、受け取った主コンテンツおよび受け取った補助コンテンツを通信デバイス上で出力することとを含んでいてもよい。
【００８７】
したがって、記述したシステムによって、通信デバイスによって補助コンテンツを受け取ったときにユーザに通知し、ユーザ定義基準にしたがって、受け取りおよび通知機能を制御することができる。
【００８８】
ここに開示した実施形態に関連して記述した、さまざまな例示的なロジックや、論理的ブロックや、モジュールや、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは、ここに記述した機能を実行するように設計されたこれらのものを任意に組み合わせたもので、実現されるか、あるいは実行されてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスを組み合わせたものとして、例えば、ＤＳＰとマイクロプロセッサを組み合わせたものとして、複数のマイクロプロセッサとして、ＤＳＰコアに関連した１つ以上のマイクロプロセッサとして、あるいは、このような構成の他の何らかのものとして実現されてもよい。さらに、少なくとも１つのプロセッサは、先に記述したステップおよび／またはアクションのうちの１つ以上を実行するように動作可能な１つ以上のモジュールを備えていてもよい。
【００８９】
さらに、ここに開示した観点と関連して記述した方法またはアルゴリズムのステップおよび／またはアクションは、直接、ハードウェアで、プロセッサにより実行されるソフトウェアモジュールで、あるいは、２つのものを組み合わせたもので具体化されてもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。さらに、いくつかの観点では、プロセッサおよび記憶媒体は、ＡＳＩＣに存在していてもよい。さらに、ＡＳＩＣは、ユーザ端末に存在していてもよい。代替実施形態では、プロセッサおよび記憶媒体は、ユーザ端末において、ディスクリートコンポーネントとして存在していてもよい。さらに、いくつかの観点では、方法のステップおよび／またはアクションまたはアルゴリズムは、機械読み取り可能媒体および／またはコンピュータ読み取り可能媒体上のコードおよび／または命令のうちの１つ、または、これらのもの任意に組み合わせたものまたは組として存在していてもよく、これらの媒体は、コンピュータプログラムプロダクトに組み込まれていてもよい。
【００９０】
１つ以上の観点では、記述した機能は、ハードウェア、ソフトウェア、ファームウェア、またはこれらのものを任意に組み合わせたもので実現されてもよい。ソフトウェアで実現される場合、機能は、コンピュータ読み取り可能媒体上で１つ以上の命令またはコードとして記憶または送信されてもよい。コンピュータ読み取り可能媒体は、１つの場所から他の場所へのコンピュータプログラムの転送を促進する何らかの媒体を含む通信媒体とコンピュータ記憶媒体との双方を含む。記憶媒体は、コンピュータによってアクセスできる任意の利用可能な媒体であってもよい。一例として、このようなコンピュータ読み取り可能媒体は、ＲＡＭ、ＲＯＭ、ＥＥＰＲＯＭ、ＣＤ−ＲＯＭ、あるいは、他の光ディスク記憶装置、磁気ディスク記憶装置、あるいは、他の磁気記憶デバイス、あるいは、命令またはデータ構造の形態で、望みのプログラムコードを伝播または記憶するために使用でき、コンピュータによってアクセスできる他の何らかの媒体を含んでいてもよいが、これらに限定されない。また、何らかの接続が、コンピュータ読み取り可能媒体と呼ばれてもよい。例えば、同軸ケーブル、ファイバ光ケーブル、撚り対ケーブル、デジタル加入者回線（ＤＳＬ）、または、赤外線、無線、およびマイクロウェーブのようなワイヤレス技術を使用して、ソフトウェアが、ウェブサイト、サーバ、または他の遠隔ソースから送信された場合に、同軸ケーブル、ファイバ光ケーブル、撚り対ケーブル、ＤＳＬ、または赤外線、無線、マイクロ波のようなワイヤレス技術は、媒体の定義に含まれる。ここで使用したディスクは、コンパクトディスク（ＣＤ）、レーザディスク、光ディスク、デジタル多用途ディスク（ＤＶＤ）、フロッピー（登録商標）ディスクおよびブルーレイディスクを含み、ここでは、ディスク（ｄｉｓｋ）は、通常、データを磁気的に再生し、さらに、ディスク（ｄｉｓｃ）は、通常、レーザによって光学的にデータを再生する。上記の組み合わせは、コンピュータ読み取り可能媒体の範囲に含まれるべきである。
【００９１】
先述の開示は、例示的な観点および／または実施形態を説明したが、特許請求の範囲によって定義されたような、記述した観点および／または実施形態の範囲から逸脱することなく、さまざまな変更および改良がここでなされてもよいことに留意すべきである。さらに、記述した観点および／または実施形態の要素が単数形で記述または主張されているが、単数形に対する限定が明示的に示されない限り、複数形を意図している。さらに、何らかの観点および／または実施形態のすべてまたは一部は、特に示されない限り、他の何らかの観点および／または実施形態のすべてまたは一部とともに利用されてもよい。
以下に、本願出願の当初の特許請求の範囲に記載された発明を付記する。
［１］アラートを発生させる方法において、
ブロードキャスト無線送信を通信デバイスで受け取ることと、
補助コンテンツの受け取りを検出することと、
アラーティングデバイスをアクティブ化して、非視覚通知を出力させるように動作可能なアラート信号を発生させることとを含み、
前記ブロードキャスト無線送信は、主コンテンツと、前記主コンテンツに関係がある補助コンテンツとを含み、
前記主コンテンツは、第１のオーディオデータを含み、
前記補助コンテンツは、非オーディオデータを含む方法。
［２］前記アラート信号を受け取ることに応答して、前記アラーティングデバイスにおいて前記非視覚通知を出力することをさらに含む［１］記載の方法。
［３］受け取った主コンテンツを表現する第１の可聴サウンドを出力することをさらに含み、
前記非視覚通知を出力することは、第２の可聴サウンドを前記第１の可聴サウンドの出力に導入することをさらに含み、
前記第２の可聴サウンドは、前記第１の可聴サウンドと区別可能である［２］記載の方法。
［４］前記補助コンテンツの非オーディオデータを第２のオーディオデータに変換することと、
前記第１のオーディオデータにしたがって、前記受け取った主コンテンツを表現する第１の可聴サウンドを出力することとをさらに含み、
前記非視覚通知を出力することは、第２の可聴サウンドを前記第１の可聴サウンドの出力に導入することをさらに含み、
前記第２の可聴サウンドは、前記第２のオーディオデータにしたがって、前記補助コンテンツを表現する［２］記載の方法。
［５］前記補助コンテンツの非オーディオデータを第２のオーディオデータに変換することは、テキストをスピーチに変換することをさらに含む［４］記載の方法。
［６］前記受け取った主コンテンツを表現する第１の可聴サウンドを出力することをさらに含み、
前記非視覚通知を出力することは、触覚型フィードバックメカニズムをアクティブ化することさらに含む［２］記載の方法。
［７］前記アラート信号を前記アラーティングデバイスに送信することをさらに含む［１］記載の方法。
［８］前記アラート信号を前記アラーティングデバイスに送信することは、別の通信デバイスにワイヤレスに送信することをさらに含む［７］記載の方法。
［９］前記補助コンテンツの少なくとも一部を、１つ以上のユーザ定義基準の少なくとも一部と比較して、一致が存在するか否かを決定することをさらに含み、
前記アラート信号を発生させることは、前記一致の存在を識別する前記比較に応答する［１］記載の方法。
［１０］前記補助コンテンツの少なくとも一部を、１つ以上のユーザ定義基準の少なくとも一部と比較することは、前記補助コンテンツを構成するテキストの少なくとも一部を、ユーザ定義テキストの少なくとも一部と比較することをさらに含む［９］記載の方法。
［１１］前記比較することは、モード設定がアイドルモードを構成する場合のみ比較することをさらに含む［９］記載の方法。
［１２］前記受け取りの前に、何らかの受け取った主コンテンツと何らかの受け取った補助コンテンツとの、前記通信デバイス上での出力を非アクティブ化するように動作可能なアイドルモードをアクティブ化することと、
前記アイドルモードに基づいて、前記受け取った補助コンテンツの少なくとも一部を、１つ以上のユーザ定義基準の少なくとも一部と比較して、一致が存在するか否かを決定することとをさらに含み、
前記アラート信号を発生させることは、前記一致の存在を識別する前記比較に応答する［１］記載の方法。
［１３］前記受け取った補助コンテンツの少なくとも一部を、１つ以上のユーザ定義基準の少なくとも一部と比較することは、前記補助コンテンツを構成するテキストの少なくとも一部を、ユーザ定義テキストの少なくとも一部と比較することをさらに含む［１２］記載の方法。
［１４］前記アイドルモードをアクティブ化することに応答して、無線局のユーザ定義周波数に同調させることをさらに含む［１２］記載の方法。
［１５］前記補助コンテンツの表現の表示をディセーブルすることと、
前記主コンテンツを表現する可聴サウンドの出力をディセーブルすることとをさらに含み、
双方とも、前記アイドルモードをアクティブ化することに応答する［１２］記載の方法。
［１６］前記アラート信号を発生させることは、前記補助コンテンツに関連するメッセージを前記アラート信号に追加することをさらに含む［１２］記載の方法。
［１７］前記アラート信号を発生させることは、前記補助コンテンツの一部を前記アラート信号に追加することをさらに含む［１２］記載の方法。
［１８］前記アラート信号を発生させた後に、モード変更を識別するユーザ入力を受け取ることと、
前記ユーザ入力に応答して、前記アイドルモードから対話式モードに変更することと、
前記受け取った主コンテンツと前記受け取った補助コンテンツとを、前記通信デバイス上で出力することとをさらに含む［１２］記載の方法。
［１９］前記ブロードキャスト無線送信を受け取ることは、第１の周波数上で前記主コンテンツを受け取ることと、
前記第１の周波数とは異なる第２の周波数上で前記補助コンテンツを受け取ることとをさらに含む［１］記載の方法。
［２０］前記ブロードキャスト無線送信を受け取ることは、第１の搬送波周波数を有する第１の振幅変調無線波上で伝えられる無線プログラム信号を受け取ることと、
前記第１の搬送波周波数とは異なる第２の搬送波周波数を有する第２の振幅変調無線波上で伝えられる無線データシステム情報を受け取ることとをさらに含み、
前記第２の搬送波周波数は、可聴周波数範囲外である［１］記載の方法。
［２１］アラートを発生させるためのコンピュータプログラムプロダクトにおいて、
ブロードキャスト無線送信を通信デバイスで受け取らせるようにコンピュータを動作可能な少なくとも１つの命令と、
補助コンテンツの受け取りを検出させるように前記コンピュータを動作可能な少なくとも１つの命令と、
アラーティングデバイスをアクティブ化して、非視覚通知を出力させるように動作可能なアラート信号を発生させるように前記コンピュータを動作可能な少なくとも１つの命令とを含むコンピュータ読み取り可能媒体を含み、
前記ブロードキャスト無線送信は、主コンテンツと、前記主コンテンツに関係がある補助コンテンツとを含み、
前記主コンテンツは、第１のオーディオデータを含み、
前記補助コンテンツは、非オーディオデータを含むコンピュータプログラムプロダクト。
［２２］前記コンピュータ読み取り可能媒体は、
前記受け取りの前に、何らかの受け取った主コンテンツと何らかの受け取った補助コンテンツとの、前記通信デバイス上での出力をブロックするように動作可能なアイドルモードをアクティブ化させるように前記コンピュータを動作可能な少なくとも１つの命令と、
前記受け取った補助コンテンツの少なくとも一部を、１つ以上のユーザ定義基準の少なくとも一部と比較させて、一致が存在するか否かを決定させるように前記コンピュータを動作可能な少なくとも１つの命令とをさらに含み、
前記アラート信号を発生させるように前記コンピュータを動作可能な少なくとも１つの命令は、前記一致の存在を識別する比較をさせるように前記コンピュータを動作可能な少なくとも１つの命令に応答する［２１］記載のコンピュータプログラムプロダクト。
［２３］アラートを発生させるための少なくとも１つのプロセッサにおいて、
ブロードキャスト無線送信を通信デバイスで受け取る第１のモジュールと、
補助コンテンツの受け取りを検出する第２のモジュールと、
アラーティングデバイスをアクティブ化して、非視覚通知を出力させるように動作可能なアラート信号を発生させる第３のモジュールとを具備し、
前記ブロードキャスト無線送信は、主コンテンツと、前記主コンテンツに関係がある補助コンテンツとを含み、
前記主コンテンツは、第１のオーディオデータを含み、
前記補助コンテンツは、非オーディオデータを含む少なくとも１つのプロセッサ。
［２４］前記受け取りの前に、何らかの受け取った主コンテンツと何らかの受け取った補助コンテンツとの、前記通信デバイス上での出力をブロックするように動作可能なアイドルモードをアクティブ化する第４のモジュールと、
前記受け取った補助コンテンツの少なくとも一部を、１つ以上のユーザ定義基準の少なくとも一部と比較して、一致が存在するか否かを決定する第５のモジュールとをさらに具備し、
前記アラート信号を発生させる第３のモジュールは、前記一致の存在を識別する、前記比較する第５のモジュールに応答する［２３］記載の少なくとも１つのプロセッサ。
［２５］アラートを発生させる通信デバイスにおいて、
ブロードキャスト無線送信を受け取る手段と、
補助コンテンツの受け取りを検出する手段と、
アラーティングデバイスをアクティブ化して、非視覚通知を出力させるように動作可能なアラート信号を発生させる手段と具備し、
前記ブロードキャスト無線送信は、主コンテンツと、前記主コンテンツに関係がある補助コンテンツとを含み、
前記主コンテンツは、第１のオーディオデータを含み、
前記補助コンテンツは、非オーディオデータを含む通信デバイス。
［２６］前記受け取りの前に、何らかの受け取った主コンテンツと何らかの受け取った補助コンテンツとの、前記通信デバイス上での出力をブロックするように動作可能なアイドルモードをアクティブ化する手段と、
前記受け取った補助コンテンツの少なくとも一部を、１つ以上のユーザ定義基準の少なくとも一部と比較して、一致が存在するか否かを決定する手段とをさらに具備し、
前記アラート信号を発生させる手段は、前記一致の存在を識別する、前記比較する手段に応答する［２５］記載の通信デバイス。
［２７］アラートを発生させる通信デバイスにおいて、
ブロードキャスト無線送信を受け取るように動作可能な受信機と、
補助コンテンツの受け取りを検出するように動作可能な検出器アルゴリズムを備えている検出器と、
アラーティングデバイスをアクティブ化して、非視覚通知を出力させるように動作可能なアラート信号発生させるように動作可能なアラートシグナリングアルゴリズムを備えている発生器とを具備し、
前記ブロードキャスト無線送信は、主コンテンツと、前記主コンテンツに関係がある補助コンテンツとを含み、
前記主コンテンツは、第１のオーディオデータを含み、
前記補助コンテンツは、非オーディオデータを含む通信デバイス。
［２８］前記アラーティングデバイスを備え、前記アラート信号を受け取ることに応答して、前記非視覚通知を出力させるように動作可能な発生アルゴリズムを備えている少なくとも１つの出力デバイスをさらに具備する［２７］記載のデバイス。
［２９］前記少なくとも１つの出力デバイスは、受け取った主コンテンツを表現する第１の可聴サウンドを出力させるようにさらに動作可能であり、
前記少なくとも１つの出力デバイスは、第２の可聴サウンドを前記第１の可聴サウンドの出力に導入するようにさらに動作可能であり、
前記第２の可聴サウンドは、前記第１の可聴サウンドと区別可能である［２８］記載のデバイス。
［３０］前記補助コンテンツの非オーディオデータを第２のオーディオデータに変換するように動作可能な変換器モジュールをさらに具備し、
前記少なくとも１つの出力デバイスは、前記第１のオーディオデータにしたがって、前記受け取った主コンテンツを表現する第１の可聴サウンドを出力するようにさらに動作可能であり、
前記少なくとも１つの出力デバイスは、第２の可聴サウンドを前記第１の可聴サウンドの出力に導入するようにさらに動作可能であり、
前記第２の可聴サウンドは、前記第２のオーディオデータにしたがって、前記補助コンテンツを表現する［２８］記載のデバイス。
［３１］前記変換器モジュールは、テキストをスピーチに変換するようにさらに動作可能である［３０］記載のデバイス。
［３２］前記少なくとも１つの出力デバイスは、前記受け取った主コンテンツを表現する第１の可聴サウンドを出力させるようにさらに動作可能であり、
前記非視覚通知は、触覚型フィードバックをさらに含む［２８］記載のデバイス。
［３３］前記アラート信号を前記アラーティングデバイスに送信するように動作可能な送信機をさらに具備する［２７］記載のデバイス。
［３４］前記アラーティングデバイスは、ワイヤレス通信ネットワーク全体にわたって位置付けられる［３３］記載のデバイス。
［３５］前記補助コンテンツの少なくとも一部を、１つ以上のユーザ定義基準の少なくとも一部と比較して、一致が存在するか否かを決定するように動作可能な比較器モジュールをさらに具備し、
前記アラート信号は、前記一致の存在を識別する前記比較器に応答して発生される［２７］記載のデバイス。
［３６］前記比較器は、前記補助コンテンツを構成するテキストの少なくとも一部を、ユーザ定義テキストの少なくとも一部と比較するようにさらに動作可能である［３５］記載のデバイス。
［３７］アイドルモードまたは対話式モードを構成するモード設定をさらに含み、
前記比較器は、前記モード設定が前記アイドルモードを構成する場合のみ比較するように動作可能である［３５］記載のデバイス。
［３８］何らかの受け取った主コンテンツと何らかの受け取った補助コンテンツとの、前記通信デバイス上での出力を非アクティブ化するように動作可能なアイドルモードを構成するモード設定と、
前記アイドルモードに基づいて、前記受け取った補助コンテンツの少なくとも一部を、１つ以上のユーザ定義基準の少なくとも一部と比較して、一致が存在するか否かを決定するように動作可能な比較器とをさらに具備し、
前記発生器は、前記一致の存在を識別する前記比較器に応答して、前記アラート信号を発生させる［２７］記載のデバイス。
［３９］前記比較器は、前記補助コンテンツを構成するテキストの少なくとも一部を、ユーザ定義テキストの少なくとも一部と比較するようにさらに動作可能である［３８］記載のデバイス。
［４０］前記アイドルモードに応答して、無線局のユーザ定義周波数に同調させるように動作可能な無線プレーヤモジュールをさらに具備する［３８］記載のデバイス。
［４１］前記アイドルモードに基づいて、前記補助コンテンツの表現の表示をディセーブルし、前記主コンテンツを表現する可聴サウンドの出力をディセーブルするように動作可能な無線プレーヤモジュールをさらに具備する［３８］記載のデバイス。
［４２］前記発生器は、前記補助コンテンツに関連するメッセージを前記アラート信号に追加するようにさらに動作可能である［３８］記載のデバイス。
［４３］前記発生器は、前記補助コンテンツの一部を前記アラート信号に追加するようにさらに動作可能である［３８］記載のデバイス。
［４４］前記アラート信号を発生させた後に、モード変更を識別するユーザ入力を受け取るように動作可能なユーザインターフェースと、
前記ユーザ入力に応答して、前記アイドルモードから対話式モードに変更するように動作可能な無線プレーヤモジュールと、
前記受け取った主コンテンツと前記受け取った補助コンテンツとを、前記通信デバイス上で出力させるように動作可能な前記アラーティングデバイスを備える少なくとも１つの出力デバイスとをさらに具備する［３８］記載のデバイス。
［４５］前記ブロードキャスト無線送信は、第１の周波数上の前記主コンテンツと、前記第１の周波数とは異なる第２の周波数上の前記補助コンテンツとをさらに含む［２７］記載のデバイス。
［４６］前記ブロードキャスト無線送信は、
第１の搬送波周波数を有する第１の振幅変調無線波上で伝えられる無線プログラム信号と、
前記第１の搬送波周波数とは異なる第２の搬送波周波数を有する第２の振幅変調無線波上で伝えられる無線データシステム情報とをさらに含み、
前記第２の搬送波周波数は、可聴周波数範囲外である［２７］記載のデバイス。
【図１】
0005490687.tif 000002
【図２】
0005490687.tif 000003
【図３】
0005490687.tif 000004
【図４】
0005490687.tif 000005
【図５】
0005490687.tif 000006